(57)【要約】  電子機器、無線通信方法及びコンピューター読み取り可能な記録媒体である。電子機器は、グループ共通物理ダウンリンク制御チャネルＧＣ-ＰＤＣＣＨを介して、ＧＣ-ＰＤＣＣＨが位置するスロットの１つ前のスロットにおけるデータに関する制御情報を伝送ように配置される電子機器処理回路を含む。これにより、ＮＲ通信システムの特性に応じてＧＣ-ＰＤＣＣＨをより良く設計することができる。
2021513791.tif 000002
【特許請求の範囲】
【請求項１】
電子機器であって、
グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送するように配置される処理回路を含む電子機器。
【請求項２】
前記制御情報は、前記データの変調及び符号化スキームＭＣＳレベル、及び前記データのスロットフォーマット情報ＳＦＩの少なくとも一つを指示するために用いられる請求項１に記載の電子機器。
【請求項３】
前記処理回路は、さらに、
デフォルトのスロットフォーマット情報ＳＦＩに応じて、前記ＧＣ-ＰＤＣＣＨが位置するスロットの１つ前のスロットにおけるデータを送信するように配置される請求項１に記載の電子機器。
【請求項４】
前記処理回路は、さらに、
前記１つ前ののスロットで前記１つ前のスロットにおけるデータに関する制御情報を送信しなかった場合に、前記ＧＣ-ＰＤＣＣＨを介して前記１つ前のスロットにおけるデータに関する制御情報を伝送するように配置される請求項１に記載の電子機器。
【請求項５】
前記処理回路は、さらに、
ユーザー機器が前記ＧＣ-ＰＤＣＣＨを介して前記１つ前のスロットにおけるデータに関する制御情報を受信するように、ユーザー機器に通知を送信するように配置される請求項１に記載の電子機器。
【請求項６】
前記処理回路は、さらに、
ライセンススペクトルを介して、前記ユーザー機器に前記通知を送信するように配置される請求項５に記載の電子機器。
【請求項７】
前記処理回路は、さらに、
ユーザー機器にＧＣ-ＰＤＣＣの送信周期を再配置ように配置される請求項１に記載の電子機器。
【請求項８】
前記処理回路は、さらに、
ライセンススペクトルを介して、ユーザー機器に、再配置されたＧＣ-ＰＤＣＣＨの送信周期を送信するように配置される請求項７に記載の電子機器。
【請求項９】
前記電子機器はニューラジオＮＲ通信システムにおけるネットワーク側デバイスである請求項１〜８のいずれか一項に記載の電子機器。
【請求項１０】
電子機器であって、
グループ共通物理ダウンリンク制御チャネルＧＣ-ＰＤＣＣＨを介して情報を受信し、
前記情報を復調することで、前記ＧＣ-ＰＤＣＣＨが位置するスロットの１つ前のスロットにおけるデータに関する制御情報を取得するように配置される処理回路を含む電子機器。
【請求項１１】
前記処理回路は、さらに、
前記制御情報に応じて、前記データの変調及び符号化スキームＭＣＳレベル、及び前記データのスロットフォーマット情報ＳＦＩの少なくとも一つを確定するように配置される請求項１０に記載の電子機器。
【請求項１２】
前記処理回路は、さらに、
前記１つ前のスロットで受信したデータを記憶し、
前記制御情報に応じて、前記１つ前のスロットにおけるデータを復調するように配置される請求項１０に記載の電子機器。
【請求項１３】
前記処理回路は、さらに、
デフォルトのスロットフォーマット情報ＳＦＩに応じて、前記ＧＣ-ＰＤＣＣＨが位置するスロットの１つ前のスロットにおけるデータを受信するように配置される請求項１０に記載の電子機器。
【請求項１４】
前記処理回路は、さらに、
ネットワーク側デバイスから受信した通知に応答して、前記ＧＣ-ＰＤＣＣＨを介して、前記１つ前のスロットにおけるデータに関する制御情報を受信するように配置される請求項１０に記載の電子機器。
【請求項１５】
前記処理回路は、さらに、
ライセンススペクトルを介して、前記ネットワーク側デバイスから前記通知を受信するように配置される請求項１４に記載の電子機器。
【請求項１６】
前記処理回路は、さらに、
ネットワーク側デバイスから、再配置されたＧＣ-ＰＤＣＣＨの送信周期を受信するように配置される請求項１０に記載の電子機器。
【請求項１７】
前記処理回路は、さらに、
ライセンススペクトルを介して、前記ネットワーク側デバイスから、再配置されたＧＣ-ＰＤＣＣＨの送信周期を受信するように配置される請求項１６に記載の電子機器。
【請求項１８】
前記電子機器は、ニューラジオＮＲ通信システムにおけるユーザー側デバイスである請求項１０〜１７のいずれか一項に記載の電子機器。
【請求項１９】
無線通信方法であって、
グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送することを含む無線通信方法。
【請求項２０】
無線通信方法であって、
グループ共通物理ダウンリンク制御チャネルＧＣ-ＰＤＣＣＨを介して、情報を受信し、前記情報を復調することで、前記ＧＣ-ＰＤＣＣＨが位置するスロットの１つ前のスロットにおけるデータに関する制御情報を取得することを含む無線通信方法。
【請求項２１】
実行可能なコンピューターコマンドを含み、前記実行可能なコンピューターコマンドがコンピューターによって実行される場合に、前記コンピューターに請求項１９又は２０に記載の無線通信方法を実行させるコンピューター読み取り可能な記録媒体。
【発明の詳細な説明】
【技術分野】
【０００１】
本願は、２０１８年２月１１日に中国専利局に提出した、出願番号が２０１８１０１４０９３３.９であって、発明の名称が「電子機器、無線通信方法、及びコンピューター読み取り可能な記録媒体」である中国特許出願の優先権を主張し、本願でその全ての内容を援用するものとする。
【０００２】
本開示の実施例は、主に無線通信分野に関し、具体的に、電子機器、無線通信方法、及びコンピューター読み取り可能な記録媒体に関する。より具体的に、本開示は、無線通信システムにおけるネットワーク側デバイスとしての電子機器、無線通信システムにおけるユーザー機器としての電子機器、無線通信システムにおけるネットワーク側デバイスによって実行される無線通信方法、無線通信システムにおけるユーザー機器によって実行される無線通信方法、コンピューター読み取り可能な記録媒体に関する。
【背景技術】
【０００３】
ＮＲ（Ｎｅｗ  Ｒａｄｉｏ、ニューラジオ）通信システムでは、１つの新しい制御チャネルＧＣ-ＰＤＣＣＨ（Ｇｒｏｕｐ  Ｃｏｍｍｏｎ-Ｐｈｙｓｉｃａｌ  Ｄｏｗｎｌｉｎｋ  Ｃｏｎｔｒｏｌ  Ｃｈａｎｎｅｌ、グループ共通物理ダウンリンク制御チャネル）が導入され、主として基地局デバイスが、一組のユーザー機器にダウンリンク制御情報、例えばＳＦＩ（Ｓｌｏｔ  Ｆｏｒｍａｔ  ｒｅｌａｔｅｄ  Ｉｎｆｏｒｍａｔｉｏｎ、スロットフォーマット情報）を指示するために用いられる。ＳＦＩは、現在のスロット及び／又は後続の１つ又は複数のスロットで基地局より採用されるＳＦＩフォーマット、即ち、１つのスロット内のアップダウンリンクシンボルの数の比率を指示するために用いられる。ただし、既存の標準は、ＧＣ-ＰＤＣＣＨの構成に関してあまり共通認識に多く達成しない。
【０００４】
ＬＴＥ（Ｌｏｎｇ  Ｔｅｒｍ  Ｅｖｏｌｕｔｉｏｎ、長期的な進化）通信システムに比べて、ＮＲ通信システムは多く改善された。例えば、ＮＲ通信システムでは、異なるサブキャリア間隔が存在し、シンボルレベルのアップダウンリンク伝送をサポートする。また、アンライセンススペクトルについて、チャネルアイドルの検出の要求は、ＧＣ-ＰＤＣＣＨの設計に対して挑戦になる。
【０００５】
従って、ＮＲ通信システムの特性に応じてＧＣ-ＰＤＣＣＨの設計を改善するための技術案を提案する必要がある。
【発明の概要】
【課題を解決するための手段】
【０００６】
この部分は、本開示の一般的な概要を提供するものであり、その全範囲又はその全ての特徴の包括的な開示ではない。
【０００７】
本開示は、ＮＲ通信システムの特性に応じてＧＣ-ＰＤＣＣＨをより良く設計するために、電子機器、無線通信方法、及びコンピューター読み取り可能な記録媒体を提供することを目的とする。
【０００８】
本開示の一態様によれば、電子機器を提供し、グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送するように配置される処理回路を含む。
【０００９】
本開示の他の態様によれば、電子機器を提供し、グループ共通物理ダウンリンク制御チャネルＧＣ-ＰＤＣＣＨを介して情報を受信し、前記情報を復調することで、前記ＧＣ-ＰＤＣＣＨが位置するスロットの１つ前のスロットにおけるデータに関する制御情報を取得するように配置される処理回路を含む。
【００１０】
本開示の他の態様によれば、無線通信方法を提供し、グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送することを含む。
【００１１】
本開示の他の態様によれば、無線通信方法を提供し、グループ共通物理ダウンリンク制御チャネルＧＣ-ＰＤＣＣＨを介して、情報を受信し、前記情報を復調することで、前記ＧＣ-ＰＤＣＣＨが位置するスロットの１つ前のスロットにおけるデータに関する制御情報を取得することを含む。
【００１２】
本開示の他の態様によれば、コンピューター読み取り可能な記録媒体を提供し、実行可能なコンピューターコマンドを含み、前記実行可能なコンピューターコマンドがコンピューターによって実行される場合に、前記コンピューターに本開示に記載の無線通信方法を実行させる。
【００１３】
本開示による電子機器、無線通信方法、及びコンピューター読み取り可能な記録媒体を使用すると、ＧＣ-ＰＤＣＣＨを利用してＧＣ-ＰＤＣＣＨが位置するスロットの１つ前のスロットにおけるデータに関する制御情報を伝送することができる。これにより、ユーザー機器はは、１つ前のスロットにおけるデータを正しく復号化し、チャネルの利用率を向上させることができる。
【００１４】
適用性のさらなる領域は、本明細書で提供される説明から明らかにした。この要約における記載及び特定の例は、説明のためだけに意図されており、本開示の範囲を限定するものではない。
【図面の簡単な説明】
【００１５】
本明細書で記載される図面は、選択された実施形態の例示目的のためのみであり、全ての可能な実施形態ではなく、本開示の範囲を限定することを意図するものではない。図面では、
【００１６】
【図１】図１は、本開示の実施例による電子機器の構成例を示すブロック図である。
【図２】図２は、本開示の実施例による、ＧＣ-ＰＤＣＣＨを介してアンライセンススペクトルに対するダウンリンク伝送終了位置を伝送することを示す模式図である。
【図３】図３は、本開示の実施例による、ＧＣ-ＰＤＣＣＨ及びＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウンリンク制御チャネル）を介してアンライセンススペクトルに対するダウンリンク伝送終了位置を伝送することを示す模式図である。
【図４】図４は、本開示の実施例による、複数のスロットのＧＣ-ＰＤＣＣＨを介してアンライセンススペクトルに対するダウンリンク伝送終了位置を伝送することを示す模式図である。
【図５】図５は、本開示の実施例による、ダウンリンク伝送終了位置が位置するスロットのＧＣ-ＰＤＣＣＨを介して当該ダウンリンク伝送終了位置を伝送することを示す模式図である。
【図６】図６は、本開示の実施例による、ＭＣＯＴ（Ｍａｘ  Ｃｈａｎｎｅｌ  Ｏｃｃｕｐｙ  Ｔｉｍｅ、最大チャンネル占用時間）の長さに応じて伝送ダウンリンク伝送終了位置を伝送するためのＧＣ-ＰＤＣＣＨが位置するスロットを確定することを示す模式図である。
【図７】図７は、本開示の実施例による、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）符号の長さに応じてダウンリンク伝送終了位置を伝送するためのＧＣ-ＰＤＣＣＨが位置するスロットを確定することを示す模式図である。
【図８】図８は、本開示の実施例による、ＭＣＯＴとＣＯＴ（Ｃｈａｎｎｅｌ  Ｏｃｃｕｐｙ  Ｔｉｍｅ、チャンネル占用時間）ユニットとの間の関係を示す模式図である。
【図９】図９は、本開示の実施例によるＧＣ-ＰＤＣＣＨを介して１つ前のスロットにおけるデータに関する制御情報を伝送することを示す模式図である。
【図１０】図１０は、本開示の実施例による、１つ前のスロットで制御情報を送信しない場合、ＧＣ-ＰＤＣＣＨの送信周期によらず、次のスロットで１つ前のスロットにおけるデータに関する制御情報を送信することを示す模式図である。
【図１１】図１１は、本開示の他の実施例による、電子機器の構成例を示すブロック図である。
【図１２】図１２は、本開示の実施例による、ＧＣ-ＰＤＣＣＨを介して伝送ダウンリンク伝送終了位置を伝送することを示すシグナリングインタラクション図である。
【図１３】図１３は、本開示の実施例による、ＧＣ-ＰＤＣＣＨを介して、ＭＣＯＴ長さ及び位置、ＬＢＴの実行要否及びＬＢＴパラメーターの少なくとも一つを伝送することを示すシグナリングインタラクション図である。
【図１４】図１４は、本開示の実施例による、ＧＣ-ＰＤＣＣＨを介して１つ前のスロットにおけるデータに関する制御情報を伝送することを示すシグナリングインタラクション図である。
【図１５】図１５は、本開示の実施例による、ユーザー機器が次のスロットでＧＣ-ＰＤＣＣＨを受信するようにユーザー機器に通知を送信することを示すシグナリングインタラクション図である。
【図１６】図１６は、本開示の実施例による、無線通信方法を示すフローチャートである。
【図１７】図１７は、本開示の他の実施例による、無線通信方法を示すフローチャートである。
【図１８】図１８は、本開示の他の実施例による、無線通信方法を示すフローチャートである。
【図１９】図１９は、本開示の他の実施例による、無線通信方法を示すフローチャートである。
【図２０】図２０は、ｅＮＢ（Ｅｖｏｌｖｅｄ  Ｎｏｄｅ  Ｂ、進化型ノードＢ）の概略的な構成の第１の例を示すブロック図である。
【図２１】図２１は、ｅＮＢの概略的な構成的第２の例を示すブロック図である。
【図２２】図２２は、スマートフォンの概略的な構成の例を示すブロック図である。
【図２３】図２３は、カーナビゲーションの概略的な構成の例を示すブロック図である。
【００１７】
本開示は容易に様々な修正及び置換形式に供するが、その特定の実施例は既に例として図面に示され、ここで詳細に記載する。しかしながら、ここで特定の実施例に対する記載は本開示を開示される具体的な形式に限定するものではなく、逆に、本開示の目的は本開示の精神と範囲に入る全ての修正、等価、置換をカバーすることであることが理解される。それに、幾つかの図面にわたって、相応する符号が相応する部品を指す。
【発明を実施するための形態】
【００１８】
ここで、図面を参照して本開示の例をより十分に記載する。以下の記載は実際に例示的なものであり、本開示、応用又は用途を限定するものではない。
【００１９】
本開示を詳しくするために、例示実施例を提供し、そして、当業者にその範囲を十分に伝える。多くの特定の細部、例えば、特定の部品、装置及び方法の例を述べて、本開示の実施例の詳しい理解を提供する。当業者にとって、特定の細部を使用する必要がなく、例示実施例は多い異なる形態にて実施され、それらはいずれも本開示の範囲を限定すると理解されるべきではない明らかであろう。幾つかの例示実施例において、よく知られるプロセス、よく知られる構成及びよく知られる技術を詳細に記載しない。
【００２０】
以下の順序に従って説明する。
１.  シナリオの説明
２.  ネットワーク側デバイスの配置例
２.１  ＧＣ-ＰＤＣＣＨを介してダウンリンク伝送終了位置をキャリアーする
２.２  ＧＣ-ＰＤＣＣＨを介してＭＣＯＴの長さと時間領域位置をキャリアーする
２.３  ＧＣ-ＰＤＣＣＨを介して、ＭＣＯＴ内でアップリンク伝送を行う前にチャネル検出プロセスの実行が要否の情報をキャリアーする
２.４  ＧＣ-ＰＤＣＣＨを介してチャネル検出プロセスのパラメーター情報をキャリアーする
２.５  ＧＣ-ＰＤＣＣＨを介して１つ前のスロットにおけるデータに関する制御情報をキャリアーする
２.６  １つ前のスロットでＧＣ-ＰＤＣＣＨを送信しなかった場合に、次のスロットでＧＣ-ＰＤＣＣＨを送信する
２.７  ダウンリンク伝送の開始位置のキャリアー
３.  ユーザー機器の配置例
３.１  ＧＣ-ＰＤＣＣＨを介してダウンリンク伝送終了位置を受信する
３.２  ＧＣ-ＰＤＣＣＨを介してＭＣＯＴの長さと時間領域位置を受信する
３.３  ＧＣ-ＰＤＣＣＨを介してＭＣＯＴ内でアップリンク伝送を行う前にチャネル検出プロセスの実行が要否の情報を受信する
３.４    ＧＣ-ＰＤＣＣＨを介してチャネル検出プロセスのパラメーター情報を受信する
３.５  ＧＣ-ＰＤＣＣＨを介して１つ前のスロットでのデータに関する制御情報を受信する
３.６  ダウンリンク伝送の開始位置を受信する
４.  方法の実施例
５.  適用例。
【００２１】
<１.  シナリオの説明説明>
ＮＲ通信システムでは、１つの新しい制御チャネルＧＣ-ＰＤＣＣＨが導入され、基地局デバイスが当該基地局のカバレッジ内の一組のユーザー機器にダウンリンク制御情報を指示するために用いられる。本開示は、ＮＲ通信システムの特性に応じて、ＧＣ-ＰＤＣＣＨの設計を改善するために、無線通信システムにおける電子機器、無線通信システムにおける電子機器によって実行される無線通信方法、及びコンピューター読み取り可能な記録媒体を提案する。
【００２２】
本開示は、無線通信システム、例えば、５Ｇ（第５世代通信システム）のＮＲ通信システムに応用できる。
【００２３】
本開示によるネットワーク側デバイスは、基地局デバイス、例えば、ｅＮＢであってもよいし、ｇＮＢ（第５世代通信システムにおける基地局）であってもよい。
【００２４】
本開示によるユーザー機器は、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えばカーナビゲーションデバイス）であってもよい。ユーザー機器は、マシンツーマシン（Ｍ２Ｍ）通信を実行する端末（マシン型通信（ＭＴＣ）端末とも称する）として実現されてもよい。また、ユーザー機器は、上記端末のそれぞれに取り付けられた無線通信モジュール（例えば単一のチップを含む集成回路モジュール）であってもよい。
【００２５】
<２.  ネットワーク側デバイスの配置例>
図１は、本開示の実施例による、電子機器１００の構成例を示すブロック図である。ここでの電子機器１００は無線通信システムにおけるネットワーク側デバイスとすることができ、具体的に、ＮＲ通信システムにおける基地局デバイスとすることができる。
【００２６】
図１に示すように、電子機器１００は配置ユニット１１０と、通信ユニット１２０とを含むことができる。
【００２７】
ここで、電子機器１００における各ユニットのいずれも処理回路に含まれてもよい。なお、電子機器１００は一つの処理回路を含んでもよいし、複数の処理回路を含んでもよい。さらに、処理回路は、別々の機能ユニットを含んで各種の異なる機能及び／又は操作を実行することができる。なお、これらの機能ユニットは、物理エンティティ又は論理エンティティであってもよい。また、異なる呼称のユニットは同一の物理エンティティにより実現され得る。
【００２８】
本開示の実施例によれば、配置ユニット１１０は、ＧＣ-ＰＤＣＣＨ、ＰＤＣＣＨ、ｅＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、拡張物理ダウンリンク制御チャネル）、及び上位層シグナリングを介して送信されるダウンリンク情報を含め送信する必要があるダウンリンク情報に対して、配置を行うことができ、通信ユニット１２０は、ダウンリンク情報を電子機器１００のカバレッジ内のユーザー機器に送信することができる。
【００２９】
本開示の実施例によれば、電子機器１００は、アンライセンススペクトルを利用してＧＣ-ＰＤＣＣＨ上でキャリアーされる情報を送信することができる。さらに、電子機器１００は、ライセンススペクトル、例えば、メインキャリアを利用してＧＣ-ＰＤＣＣＨ上でキャリアーされる情報を送信することもできる。このようにして、電子機器１００は、ＧＣ-ＰＤＣＣＨを利用して送信される情報の信頼性を保証することができる。
【００３０】
本開示の実施例によれば、電子機器１００は、ＧＣ-ＰＤＣＣＨを利用して種々の情報を送信することができ、以下、詳細に紹介する。さらに、本開示の実施例によれば、電子機器１００は、ＤＣＩ（Ｄｏｗｎｌｉｎｋ  Ｃｏｎｔｒｏｌ  Ｉｎｆｏｒｍａｔｉｏｎ、ダウンリンク制御情報）で  （２.１ないし２.６部分で記載される）下記の情報の一つ又は複数をキャリアーすることができ、ＤＣＩ  ｆｏｒｍａｔ  ２_ｘであるが、それに限定されない（ＮＲ通信システムにおけるＤＣＩフォーマットであり、アップリンクスケジューリング及びダウンリンクスケジューリングを除く他の情報をキャリアーするためのものである）。
【００３１】
本開示の実施例によれば、電子機器１００は、さらに、上位層シグナリングにより  （２.７部分で記載される）下記の情報を携帯することもでき、ＲＲＣ（Ｒａｄｉｏ  Ｒｅｓｏｕｒｃｅ  Ｃｏｎｔｒｏｌ、無線リソース制御）シグナリングであるが、それに限定されない。
【００３２】
<２.１  ＧＣ-ＰＤＣＣＨを介してダウンリンク伝送終了位置をキャリアーする>
本開示の実施例によれば、配置ユニット１１０は、アンライセンススペクトルに対するダウンリンク伝送終了位置の情報を配置し、ＧＣ-ＰＤＣＣＨを介してアンライセンススペクトルに対するダウンリンク伝送終了位置の情報をキャリアーすることができる。ここで、電子機器１００は、毎回のダウンリンク伝送の前にダウンリンク伝送の終了位置を確定することができる。本開示の実施例によれば、ダウンリンク伝送の終了位置は、今回のダウンリンク伝送が終了したＯＦＤＭシンボル位置を示し、終了したＯＦＤＭシンボルが位置するスロットの位置、及び当該ＯＦＤＭシンボルの当該スロットにおける位置を含むが、それに限定されない。
【００３３】
本開示の実施例によれば、通信ユニット１２０は、ＧＣ-ＰＤＣＣＨを介してアンライセンススペクトルに対するダウンリンク伝送終了位置の情報を伝送することができる。
【００３４】
図２は、本開示の実施例によるＧＣ-ＰＤＣＣＨを介してアンライセンススペクトルに対するダウンリンク伝送終了位置を伝送することを示す模式図である。図２に示すように、横軸は時間を表し、縦軸は周波数を表す。図２に、三つのスロット（スロット１、スロット２、スロット３）の場合を示している。斜線のハッチング領域はＰＤＣＣＨが占める領域、例えば、各スロットの最初の三つのＯＦＤＭシンボルを示している。黒いベタ領域は、ＧＣ-ＰＤＣＣＨが占める領域を示している。図２に示すように、ＧＣ-ＰＤＣＣＨはＰＤＣＣＨの領域内に位置する。つまり、ＧＣ-ＰＤＣＣＨは時間的にＰＤＣＣＨが占用するＯＦＤＭシンボル内にあり、周波数的にＰＤＣＣＨが占用するサブキャリア内にある。図２において、例示的に、ＧＣ-ＰＤＣＣＨの送信周期は二つのスロットである。従って、図２において、スロット１及びスロット３におけるＰＤＣＣＨ領域にＧＣ-ＰＤＣＣＨを含んでいる。横線ハッチング領域は、アンライセンススペクトルに対するダウンリンク伝送終了位置、即ち、アンライセンススペクトルに対するダウンリンク伝送横線ハッチング領域が位置するＯＦＤＭシンボルに終了しようとしている。本開示の実施例によれば、ＧＣ-ＰＤＣＣＨを利用してアンライセンススペクトルに対するダウンリンク伝送終了位置の情報を伝送することができる。図２に示すように、スロット１におけるＧＣ-ＰＤＣＣＨを利用してアンライセンススペクトルに対するダウンリンク伝送終了位置の情報を伝送してもよく、当該情報はダウンリンク伝送終了位置が位置するＯＦＤＭシンボルの位置情報を含んでもよい。
【００３５】
以上のように、本開示の実施例によれば、ＧＣ-ＰＤＣＣＨを利用してアンライセンススペクトルに対するダウンリンク伝送終了位置の情報を伝送することができる。このようにして、ＰＤＣＣＨの公衆サーチエリアはセル全体のユーザー機器に向けることに比べて、ＧＣ-ＰＤＣＣＨは一組のユーザー機器に向けることにより、ユーザー範囲はある程度縮小される。ＰＤＣＣＨの固有（ＵＥ-ｓｐｅｃｉｆｉｃ）サーチエリアは特定のユーザー機器に向けることに比べて、ＧＣ-ＰＤＣＣＨは一組のユーザー機器に向けることにより、シグナリングオーバーヘッドが節約される。さらに、ＧＣ-ＰＤＣＣＨは一種のアグリゲーションレベルのサーチスペースのみを含むので、ＧＣ-ＰＤＣＣＨを利用してアンライセンススペクトルに対するダウンリンク終了位置の情報を伝送することにより、ユーザーのブラインド検出の速度を向上することができる。また、ユーザー機器は、ダウンリンク伝送終了位置の情報を取得した後に、ユーザー機器がダウンリンクの採用アンライセンススペクトルを多重化してアップリンク伝送を行う場合に、できるだけ早くダウンリンクデータを復号化してチャネルアイドルの検出を準備することにより、アンライセンススペクトルの利用効率が向上される。
【００３６】
本開示の実施例によれば、配置ユニット１１０は、ＰＤＣＣＨを介して送信される情報を配置することで、ＰＤＣＣＨを介してアンライセンススペクトルに対するダウンリンク伝送終了位置の情報をキャリアーすることができる。例えば、配置ユニット１１０は、ＰＤＣＣＨの公衆サーチエリア又は固有サーチエリアによりアンライセンススペクトルに対するダウンリンク伝送終了位置の情報をキャリアーしてもよい。さらに、通信ユニット１２０は、ＰＤＣＣＨを介して再びアンライセンススペクトルに対するダウンリンク伝送終了位置の情報を伝送してもよい。さらに、配置ユニット１１０は同一の同スロットにおけるＰＤＣＣＨ及びＧＣ-ＰＤＣＣＨを介してアンライセンススペクトルに対するダウンリンク伝送終了位置の情報をキャリアーしてもよい。
【００３７】
図３は、本開示の実施例による、ＧＣ-ＰＤＣＣＨ及びＰＤＣＣＨを介してアンライセンススペクトルに対するダウンリンク伝送終了位置を伝送することを示す模式図である。図３において、横軸は時間を表し、縦軸は周波数を表す。図３には、三つのスロット（スロット１、スロット２、スロット３）の場合を示している。斜線のハッチング領域はＰＤＣＣＨが占める領域、例えば、各スロットの最初の三つのＯＦＤＭシンボルを示している。黒いベタ領域は、ＧＣ-ＰＤＣＣＨが占める領域を示している。また、例示的に、ＧＣ-ＰＤＣＣＨの送信周期は二つのスロットである。図３に示すように、スロット１におけるＧＣ-ＰＤＣＣＨを利用してアンライセンススペクトルに対するダウンリンク伝送終了位置の情報を伝送するのみならず、ＰＤＣＣＨを利用して再びアンライセンススペクトルに対するダウンリンク伝送終了位置の情報を伝送する。留意すべきなのは、図３に、スロット１におけるＰＤＣＣＨのみを介してダウンリンク伝送終了位置の情報を伝送する場合を示し、電子機器１００は、さらに、スロット２におけるＰＤＣＣＨのみを介して、又は、スロット１におけるＰＤＣＣＨ及びスロット２におけるＰＤＣＣＨを介してダウンリンク伝送終了位置を伝送してもよい。
【００３８】
以上のように、本開示の実施例によれば、ＧＣ-ＰＤＣＣＨ及びＰＤＣＣＨを介してアンライセンススペクトルに対するダウンリンク伝送終了位置の情報を伝送する。このようにして、ユーザー機器がＧＣ-ＰＤＣＣＨを受信しなかったこと、またはＧＣ-ＰＤＣＣＨ上でキャリアーされる情報を誤って復号化することを防止することができる。
【００３９】
本開示の実施例によれば、配置ユニット１１０は、ＧＣ-ＰＤＣＣＨを介して送信される情報を配置することで、複数のスロットのＧＣ-ＰＤＣＣＨを介してアンライセンススペクトルに対するダウンリンク伝送終了位置を伝送することができる。つまり、当該ダウンリンク伝送終了位置の前の複数のスロット（ダウンリンク伝送終了位置が位置するスロットを含む）に位置するＧＣ-ＰＤＣＣＨを介して、当該ダウンリンク伝送終了位置を伝送することができる。
【００４０】
図４は、本開示の実施例による、複数のスロットのＧＣ-ＰＤＣＣＨを介してアンライセンススペクトルに対するダウンリンク伝送終了位置を伝送することを示す模式図である。図４において、横軸は時間を表し、縦軸は周波数を表す。図４に、三つのスロット（スロット１、スロット２、スロット３）の場合を示している。斜線のハッチング領域は、ＰＤＣＣＨが占める領域、例えば、各スロットの最初の三つのＯＦＤＭシンボルを示している。黒いベタ領域は、ＧＣ-ＰＤＣＣＨが占める領域を示している。また、例示的に、ＧＣ-ＰＤＣＣＨの送信周期は１つのスロットであり、即ち、スロット１、スロット２及びスロット３のＰＤＣＣＨ領域にＧＣ-ＰＤＣＣＨを含んでいる。図４に示すように、ダウンリンク伝送終了位置は、スロット２内に位置し、スロット１及びスロット２のＧＣ-ＰＤＣＣＨを介して当該ダウンリンク伝送終了位置の情報を伝送する。
【００４１】
以上のように、本開示の実施例によれば、１つ又は複数のスロットにおけるＧＣ-ＰＤＣＣＨを介してアンライセンススペクトルに対するダウンリンク伝送終了位置の情報を伝送することができる。よって、ユーザー機器がダウンリンク伝送終了位置を受信し正しく復調できる確率が増大される。
【００４２】
本開示の実施例によれば、配置ユニット１１０は、ＧＣ-ＰＤＣＣＨを介して送信される情報を配置することで、ダウンリンク伝送終了位置が位置するスロットにおけるＧＣ-ＰＤＣＣＨを介してダウンリンク伝送終了位置の情報を伝送することができ、ダウンリンク伝送終了位置が位置するスロットの前のスロットにおけるＧＣ-ＰＤＣＣＨを介して、ダウンリンク伝送終了位置の情報を伝送することもできる。つまり、電子機器１００がダウンリンク伝送終了位置の前のＮ番目のスロットにおけるＧＣ-ＰＤＣＣＨを介して、ダウンリンク伝送終了位置を伝送することができる。ここで、Ｎは非負の整数である。Ｎが正の整数である場合、電子機器１００が、ダウンリンク伝送終了位置が位置するスロットの前のスロットにおけるＧＣ-ＰＤＣＣＨを介してダウンリンク伝送終了位置を伝送することを示し、Ｎ＝０の場合、電子機器１００が、ダウンリンク伝送終了位置が位置するスロットにおけるＧＣ-ＰＤＣＣＨを介してダウンリンク伝送終了位置を伝送することを示す。
【００４３】
本開示の実施例によれば、配置ユニット１１０は、ＧＣ-ＰＤＣＣＨを介して送信される情報を配置することで、１つ又は複数のスロットにおけるＧＣ-ＰＤＣＣＨを介してダウンリンク伝送終了位置情報を伝送するすることができるので、前記のＮの値は複数があることができる。つまり、電子機器１００は、ダウンリンク伝送終了位置が位置するスロットにおけるＧＣ-ＰＤＣＣＨを介してダウンリンク伝送終了位置の情報を伝送してもよく、ダウンリンク伝送終了位置が位置するスロットの前のスロットにおけるＧＣ-ＰＤＣＣＨを介してダウンリンク伝送終了位置の情報を伝送してもよい。
【００４４】
図２及び図３に、ダウンリンク伝送終了位置が位置するスロットの前のスロットにおけるＧＣ-ＰＤＣＣＨのみを介して、ダウンリンク伝送終了位置の情報を伝送する例を示した。図２及び図３に示すように、ダウンリンク伝送終了位置がスロット２に位置し、スロット１におけるＧＣ-ＰＤＣＣＨを介して、ダウンリンク伝送終了位置を伝送する。図４に、ダウンリンク伝送終了位置が位置するスロットにおけるＧＣＰＤＣＣＨ、及びダウンリンク伝送終了位置が位置するスロットの前のスロットにおけるＧＣ-ＰＤＣＣＨを介して、ダウンリンク伝送終了位置の情報を伝送する例を示している。図４に示すように、ダウンリンク伝送終了位置がスロット２に位置し、スロット２におけるＧＣ-ＰＤＣＣＨ、及びスロット１におけるＧＣ-ＰＤＣＣＨを介して、ダウンリンク伝送終了位置を伝送する。図５は、本開示の実施例による、ダウンリンク伝送終了位置が位置するスロットのＧＣ-ＰＤＣＣＨのみを介して、当該ダウンリンク伝送終了位置を伝送することを示す模式図である。図５に示すように、ダウンリンク伝送終了位置がスロット２に位置し、スロット２におけるＧＣ-ＰＤＣＣＨを介してダウンリンク伝送終了位置を伝送する。
【００４５】
以上のように、本開示の実施例によれば、アンライセンススペクトルに対するダウンリンク伝送終了位置の情報をキャリアーするＧＣ-ＰＤＣＣＨの数及び位置（位置するスロット）を柔軟に配置することができる。以下、ダウンリンク伝送終了位置をキャリアーするためのＧＣ-ＰＤＣＣＨが位置するスロットを如何に確定するかについて記載する。
【００４６】
本開示の実施例によれば、配置ユニット１１０は、ダウンリンク伝送の最大チャネル占用時間ＭＣＯＴの長さ、ＧＣ-ＰＤＣＣＨの送信周期、及びダウンリンク伝送のＭＣＯＴ内のＯＦＤＭシンボルの長さの一つまたは複数に応じて、Ｎの値（即ち、ダウンリンク伝送終了位置をキャリアーするためのＧＣ-ＰＤＣＣＨが位置するスロット）を確定することができる。
【００４７】
本開示の実施例によれば、配置ユニット１１０は、ＭＣＯＴの長さに応じて、ダウンリンク伝送終了位置をキャリアーするためのＧＣ-ＰＤＣＣＨが位置するスロットを確定することができる。本開示の実施例によれば、配置ユニット１１０は、ダウンリンク伝送終了位置をキャリアーするＧＣ-ＰＤＣＣＨが位置するスロットを配置する際に、当該スロットを今回のダウンリンク伝送のＭＣＯＴ内に位置させなければならない。
【００４８】
図６は、本開示の実施例による、ＭＣＯＴの長さに応じてダウンリンク伝送終了位置を伝送するためのＧＣ-ＰＤＣＣＨが位置するスロットを確定することを示す模式図である。図６に示すように、今回のダウンリンク伝送のＭＣＯＴはスロット２、スロット３及びスロット４を含む。従って、図６に、スロット２のＧＣ-ＰＤＣＣＨを利用してダウンリンク伝送終了位置をキャリアーすることを示している。勿論、スロット３のＧＣ-ＰＤＣＣＨを利用してダウンリンク伝送終了位置をキャリアーしてもよい。つまり、ダウンリンク伝送終了位置をキャリアーするＧＣ-ＰＤＣＣＨのスロットは今回のダウンリンク伝送のＭＣＯＴ内に位置しなければならない。
【００４９】
本開示の実施例によれば、配置ユニット１１０は、ＧＣ-ＰＤＣＣＨの送信周期に応じて、ダウンリンク伝送終了位置をキャリアーするためのＧＣ-ＰＤＣＣＨが位置するスロットを確定することができる。本開示の実施例によれば、電子機器１００は、ＧＣ-ＰＤＣＣＨを周期的に送信し、ＧＣ-ＰＤＣＣＨの周期を配置することができ、当該周期は、例えば、１つ又は複数のスロットであってもよい。
【００５０】
一方、本開示の実施例によれば、ＧＣ-ＰＤＣＣＨの送信周期は、どれらのスロットのＰＤＣＣＨにＧＣ-ＰＤＣＣＨを含むかを決定する。一方、本開示の実施例によれば、ＧＣ-ＰＤＣＣＨを介してスロットフォーマット情報ＳＦＩを伝送することができる。例えば、１つのスロットにおけるＧＣ-ＰＤＣＣＨは、当該スロット又は当該スロットの後の一つ又は複数のスロットのＳＦＩをキャリアーするために用いることができる。従って、ＧＣ-ＰＤＣＣＨの送信周期は、１つスロットにおけるＧＣ-ＰＤＣＣＨが当該スロットの後の幾つかのスロットのＳＦＩをキャリアーするために使用できるかを確定するために用いられることができる。ここで、ダウンリンク伝送終了位置が位置するスロットのＳＦＩを知ることだけで、当該ダウンリンク伝送終了位置を確定できる。従って、本開示の実施例によれば、配置ユニット１１０は、ダウンリンク伝送終了位置をキャリアーするＧＣ-ＰＤＣＣＨが位置するスロットを配置する場合に、そのＧＣ-ＰＤＣＣＨが同時にダウンリンク伝送終了位置が位置するスロットのＳＦＩをキャリアーするスロットを選択してもよい。
【００５１】
本開示の実施例によれば、配置ユニット１１０は、ＧＣ-ＰＤＣＣＨを介して送信される情報を配置することで、ＧＣ-ＰＤＣＣＨを介して、ダウンリンク伝送終了位置が位置するスロットのスロットフォーマット情報ＳＦＩを伝送することができる。つまり、ダウンリンク伝送終了位置の情報をキャリアーするためのＧＣ-ＰＤＣＣＨも同時にダウンリンク伝送終了位置が位置するスロットのＳＦＩをキャリアーする。
【００５２】
本開示の実施例によれば、配置ユニット１１０は、ダウンリンク伝送のＭＣＯＴ内のＯＦＤＭシンボルの長さに応じて、ダウンリンク伝送終了位置をキャリアーするためのＧＣ-ＰＤＣＣＨが位置するスロットを確定することができる。ＮＲ通信システムでは、異なるサブキャリア間隔について、ＯＦＤＭシンボルは時間的に長さが異なる。表１は、サブキャリア間隔とＯＦＤＭシンボルの長さとの間の関係を示している。
【００５３】
【表１】
2021513791.tif 000003
【００５４】
このように、サブキャリア間隔が大きいほど、ＯＦＤＭシンボルは時間的に長さが短くなる。ＮＲ通信システムでは、１つのスロットが１４個のＯＦＤＭシンボルを含むので、サブキャリア間隔が大きいほど、１つのスロットの絶対長さが短くなる。表１には、サブキャリア間隔が１５ｋＨＺ、３０ｋＨＺ、６０ｋＨＺ、１２０ｋＨＺである場合のみを示し、ＮＲシステムにおいて、サブキャリア間隔は２４０ｋＨＺ、４８０ｋＨＺであってもよい。従って、サブキャリア間隔が比較的に大きい場合、１つのスロットの絶対長さが非常に短く、Ｎの値が比較的に小さい、例えばＮ＝０又は１である場合、ユーザー機器がダウンリンク伝送終了位置を取得する時間はダウンリンク伝送終了位置に非常に近いため、ユーザー機器がアップリンクのフィードバック又はアップリンクの伝送の準備に十分な時間がないことを招致する。
【００５５】
従って、本開示の実施例によれば、配置ユニット１１０は、ダウンリンク伝送のＭＣＯＴ内のＯＦＤＭシンボルの長さに応じて、ダウンリンク伝送終了位置をキャリアーするためのＧＣ-ＰＤＣＣＨが位置するスロットを確定することができ、ＯＦＤＭシンボルの長さが短いほど、Ｎの値が大きくなるようにする。このようにして、異なるサブキャリア配置について、即ち、異なるＯＦＤＭシンボル長さの長さについて、できるだけ、ダウンリンク伝送終了位置を送信する進み量、即ち、絶対進み時間を一致させ、ユーザー機器がアップリンクのフィードバック又はアップリンクの伝送の準備に十分な時間があることを保証する。
【００５６】
図７は、本開示の実施例による、ＯＦＤＭシンボルの長さに応じてダウンリンク伝送終了位置を伝送するためのＧＣ-ＰＤＣＣＨが位置するスロットを確定することを示す模式図である。図７は、サブキャリア間隔が１５ｋＨＺ、３０ｋＨＺである場合を示している。図７に示すように、サブキャリア間隔が１５ｋＨＺである場合に、スロット２におけるＧＣ-ＰＤＣＣＨを利用してダウンリンク伝送終了位置の情報を送信する。ダウンリンク伝送終了位置はスロット３に位置し、つまり、Ｎ＝１である。サブキャリア間隔が３０ｋＨＺである場合に、スロット３におけるＧＣ-ＰＤＣＣＨを利用して、ダウンリンク伝送終了位置の情報を送信する。ダウンリンク伝送終了位置はスロット６に位置し、つまり、Ｎ＝３である。このように、サブキャリア間隔が１５ｋＨＺである場合よりも、サブキャリア間隔が３０ｋＨＺである場合のＮの値は大きくなるが、両方の絶対進み時間はほぼ同じである。
【００５７】
本開示の実施例によれば、ユニット１１０は１つ又は複数のスロットにおけるＧＣ-ＰＤＣＣＨを配置してダウンリンク伝送終了位置の情報を送信することができるので、以上のように確定されたＮの値は１つ又は複数があることができる。例えば、図７に示す例において、サブキャリア間隔が１５ｋＨＺである場合に、ＧＣ-ＰＤＣＣＨの送信周期が１つのスロットであると仮定すると、スロット３におけるＧＣ-ＰＤＣＣＨを利用してダウンリンク伝送終了位置の情報を送信してもよく、この際、Ｎ＝０であり、サブキャリア間隔が３０ｋＨＺである場合に、ＧＣ-ＰＤＣＣＨの送信周期が二つのスロットであると仮定すると、スロット５におけるＧＣ-ＰＤＣＣＨを利用してダウンリンク伝送終了位置の情報を送信してもよく、この際、Ｎ＝１である。
【００５８】
本開示の実施例によれば、配置ユニット１１０はダウンリンク伝送のＭＣＯＴの長さ、ＧＣ-ＰＤＣＣＨの送信周期、及びダウンリンク伝送のＭＣＯＴ内のＯＦＤＭシンボルの長さを個別に考慮してＮの値を確定することができる。さらに、配置ユニット１１０は、上記のパラメーターのうちの複数を総合的に考慮してＮの値を確定することもできる。以下、幾つかの非限定的な例を示す。
【００５９】
例えば、配置ユニット１１０は、ダウンリンク伝送のＭＣＯＴ内に位置し且つダウンリンク伝送終了位置が位置するスロットのＳＦＩをキャリアーするスロットを、ダウンリンク伝送終了位置の情報をキャリアーするスロットとして確定してもよい。
【００６０】
また、例えば、配置ユニット１１０は、さらに、ダウンリンク伝送のＭＣＯＴ内に位置し且つダウンリンク伝送終了位置が位置するスロットのＳＦＩをキャリアーするスロットから選択し、ＯＦＤＭシンボルの長さに応じてＮの値を確定してもよい。サブキャリア間隔が１５×２ｎｋＨＺである配置（ｎ＝０、１、２、３、４、５）について、ダウンリンク伝送終了位置の前の（２ｎ+１-１）番目のスロットダウンリンク伝送のＭＣＯＴ内に位置し且つダウンリンク伝送終了位置が位置するスロットのＳＦＩをキャリアーする場合に、配置ユニット１１０は、Ｎの１つの値が２ｎ+１-１であると確定できる。この場合に確定されたＮの値は、Ｎのすべての値の中で最小値であってもよい。ダウンリンク伝送終了位置の前の（２ｎ+１-１）番目のスロットダウンリンク伝送のＭＣＯＴ内に位置しない、又は、ダウンリンク伝送終了位置が位置するスロットのＳＦＩをキャリアーしない場合に、配置ユニットは、ダウンリンク伝送のＭＣＯＴ内に位置し且つダウンリンク伝送終了位置が位置するスロットのＳＦＩをキャリアーするスロットのうちダウンリンク伝送終了位置から最も遠いスロットを、ダウンリンク伝送終了位置の情報をキャリアーするスロットとして確定できる。この場合に確定されたＮの値は、Ｎのすべての値の中で最大値であることができる。例えば、図７に示す例において、サブキャリア間隔が１５ｋＨＺである場合については、ｎ＝０であり、ダウンリンク伝送終了位置の前の（２ｎ+１-１）番目のスロットはダウンリンク伝送終了位置の前の一番目のスロット、即ち、スロット２である。図７に示すように、スロット２がダウンリンク伝送のＭＣＯＴ内に位置し、スロット２におけるＧＣ-ＰＤＣＣＨがスロット３のＳＦＩをキャリアーすると仮定すると、Ｎ＝２ｎ+１-１＝１であると確定できる。スロット１もＭＣＯＴ内に位置し且つスロット３のＳＦＩをキャリアーすると仮定すると、Ｎは２であってもよい。また、例えば、図７に示す例において、サブキャリア間隔が３０ｋＨＺである場合については、ｎ＝１であり、ダウンリンク伝送終了位置の前の（２ｎ+１-１）番目のスロットはダウンリンク伝送終了位置の前の三番目のスロット、即ち、スロット３である。図７に示すように、スロット３がダウンリンク伝送のＭＣＯＴ内に位置し、スロット３におけるＧＣ-ＰＤＣＣＨがスロット６のＳＦＩをキャリアーしなく、スロット５におけるＧＣ-ＰＤＣＣＨがスロット６のＳＦＩをキャリアーすると仮定すると、従って、スロット５は、ダウンリンク伝送のＭＣＯＴ内に位置し且つスロット６のＳＦＩをキャリアーするスロットのうちダウンリンク伝送終了位置から最も遠いスロットであり、従って、スロット５がダウンリンク伝送終了位置をキャリアーするスロットであり、即ち、Ｎ＝１であると確定できる。スロット６もＧＣ-ＰＤＣＣＨを含み且つスロット６のＳＦＩをキャリアーすると仮定すると、Ｎは０であってもよい。勿論、上記の例は例示的であり、本開示はそれに限定されない。
【００６１】
以上のように、本開示の実施例によれば、電子機器１００は、ＧＣ-ＰＤＣＣＨを介してアンライセンススペクトルに対するダウンリンク伝送終了位置の情報をキャリアーすることができる。さらに、電子機器１００は、ＮＲ通信システムの特性に対してＧＣ-ＰＤＣＣＨをより合理的に設計するために、ダウンリンク伝送終了位置の情報をキャリアーするためのＧＣ-ＰＤＣＣＨのスロットの数、及び位置をさらに配置してもよい。
【００６２】
<２.２  ＧＣ-ＰＤＣＣＨを介してＭＣＯＴの長さと時間領域位置をキャリアーする>
本開示の実施例によれば、配置ユニット１１０は、ＧＣ-ＰＤＣＣＨを介して送信される情報を配置することで、ＧＣ-ＰＤＣＣＨを介してダウンリンク伝送のＭＣＯＴの長さと時間領域位置を伝送することができ、ＭＣＯＴは、１つ又は複数のスロットを含む。ここで、ＭＣＯＴの長さは、例えば、スロットの数で示され、ＭＣＯＴの時間領域位置は、例えば、ＭＣＯＴに含まれる全てのスロットのスロット番号などを含んでもよい。
【００６３】
本開示の実施例によれば、ＭＣＯＴ内の各スロットを１つのＣＯＴ（Ｃｈａｎｎｅｌ  Ｏｃｃｕｐｙ  Ｔｉｍｅ、チャンネル占用時間）ユニットと定義することができる。つまり、ＭＣＯＴは１つ又は複数のＣＯＴユニットを含む。図８は、本開示の実施例によるＭＣＯＴとＣＯＴユニットとの間の関係を示す模式図である。図８に示すように、ＭＣＯＴは、スロット１、スロット２、スロット３及びスロット４の四つのスロットを含み、スロットのそれぞれは１つのＣＯＴユニットであってもよい。
【００６４】
本開示の実施例によれば、ＭＣＯＴに一種のサブキャリア配置のみを含み、つまり、ＭＣＯＴに含まれる全てのスロットの絶対長さは等しく、即ち、ＭＣＯＴに含まれる全てのＯＦＤＭシンボルの長さは等しい。従って、１つのＭＣＯＴについて、その中の各ＣＯＴユニットの長さは同じである。
【００６５】
本開示の実施例によれば、ＣＯＴユニット内の初回の伝送はダウンリンク伝送プロセスであってもよい。つまり、ＣＯＴユニット内の伝送はすべてダウンリンク伝送であってもよく（ＣＯＴユニットにダウンリンクスイッチングポイントがない）、一部のダウンリンク伝送であって、続いて一部のアップリンク伝送であってもよく（ＣＯＴユニット内に一つのアップダウンリンクスイッチングポイントを含む）、一部のダウンリンク伝送であって、続いて一部のアップリンク伝送であって、また続いて一部のダウンリンク伝送であってもよい（ＣＯＴユニット内に二つのダウンリンクスイッチングポイントを含む）。つまり、ＣＯＴユニットには少なくとも一回のダウンリンク伝送プロセスを含む。勿論、これは単なる例示であり、ＣＯＴユニット内の初回の伝送はアップリンク伝送プロセスであってもよい。
【００６６】
本開示の実施例によれば、電子機器１００は、さらに、ＭＣＯＴ内の各ＣＯＴユニットに含まれるアップリンク伝送とダウンリンク伝送との間スイッチングポイントの数が２以下であるように、ＭＣＯＴ内の各ＣＯＴユニットのＳＦＩを配置することができる。つまり、ユーザー機器がＣＯＴユニットでアップリンクフィードバックを送信することを許可する。さらに、ユーザー機器をアップリンクフィードバックを行った後に、電子機器１００は、ダウンリンクデータを引き続き送信することができる。これにより、チャネルの利用率が向上される。さらに、電子機器１００は、さらに、ＭＣＯＴに含まれるアップリンク伝送とダウンリンク伝送との間のスイッチングポイントの数が所定の閾値以下であるように、ＭＣＯＴ内の各ＣＯＴユニットのＳＦＩを配置してもよい。ここで、電子機器１００は、チャネルの混雑度に応じて所定の閾値の大きさを確定してもよい。このように、電子機器１００は、ＭＣＯＴ内のスイッチングポイントの総数を制限することで、頻繁なダウンリンクのスイッチングを回避することができる。
【００６７】
以上のように、電子機器１００は、ＧＣ-ＰＤＣＣＨを介してＭＣＯＴの長さと時間領域位置の情報をキャリアーするとともに、ＣＯＴユニットを定義して、ユーザー機器がＣＯＴユニットでアップリンク伝送を行うことを許可することができる。このようにして、より十分なダウンリンクの配置を許可して、チャネルの利用効率を向上する。
【００６８】
<２.３  ＧＣ-ＰＤＣＣＨを介して、ＭＣＯＴ内でアップリンク伝送を行う前にチャネル検出プロセスの実行要否に関する情報をキャリアーする>
本開示の実施例によれば、配置ユニット１１０は、ＧＣ-ＰＤＣＣＨを介して送信される情報を配置することで、ＧＣ-ＰＤＣＣＨを介してＭＣＯＴのＣＯＴユニット内でアップリンク伝送を行う前にチャネル検出プロセスの実行要否に関する情報を伝送することができる。
【００６９】
以上のように、ユーザー機器は、ＣＯＴユニット内でアップリンク伝送を行ってもよく、例えばアップリンクフィードバックを送信し、ＡＣＫ（Ａｃｋｎｏｗｌｅｄｇｅｍｅｎｔ、確認）／ＮＡＣＫ（Ｎｅｇａｔｉｖｅ  Ａｃｋｎｏｗｌｅｄｇｍｅｎｔ、非確認）情報を含むがそれに限定されない。ＬＴＥシステムでは、ユーザー機器は、このようなアップリンク伝送を行う前に、チャネル検出プロセスを行う必要があり、チャネル検出がアイドルである場合にのみ、ＣＯＴユニット内でアップリンク伝送を行うことができる。
【００７０】
ＮＲ通信システムでは、サブキャリア間隔が大きいほど、１つのスロットの絶対長さが短くなる。サブキャリア間隔が比較的に大きいと、１つのスロットの絶対長さが非常に短い。この場合、ユーザー機器は、アップリンク伝送を行う前にチャネル検出プロセスを実行すると意味がないかもしれない。従って、本開示の実施例によれば、電子機器１００はユーザー機器に、ＭＣＯＴのＣＯＴユニット内でアップリンク伝送を行う前にチャネル検出プロセスの実行要否に関する情報を配置することができる。例えば、電子機器１００は、システムのサブキャリア間隔に応じて、ユーザー機器がアップリンク伝送を行う前にチャネル検出プロセスの実行が要否を確定してもよい。具体的に、システムのサブキャリア間隔が一定の閾値以上である場合に、電子機器１００は、ユーザー機器がアップリンク伝送を行う前にチャネル検出プロセスを実行する必要がないと確定でき、システムのサブキャリア間隔が一定の閾値よりも小さい場合、電子機器１００は、ユーザー機器がアップリンク伝送を行う前にチャネル検出プロセスを実行する必要があると確定できる。好ましくは、当該閾値は１２０ｋＨＺであってもよい。
【００７１】
さらに、電子機器１００の配置ユニット１１０は、ＧＣ-ＰＤＣＣＨを利用して、ユーザー機器がＭＣＯＴのＣＯＴユニット内でアップリンク伝送を行う前に、チャネル検出プロセスの実行が要否に関する情報をキャリアーすることができる。
【００７２】
本開示の実施例によれば、配置ユニット１１０は、さらに、ＰＤＣＣＨを介して送信される情報を配置することで、ＰＤＣＣＨを介してＭＣＯＴのＣＯＴユニット内でアップリンク伝送を行う前にチャネル検出プロセスの実行が要否に関する情報を伝送することができる。例えば、配置ユニット１１０は、ＰＤＣＣＨの固有サーチエリアを介して、ユーザー機器ＣＯＴユニット内でアップリンク伝送を行う前にチャネル検出プロセスの実行が要否に関する情報をキャリアーしてもよい。さらに、通信ユニット１２０は、ＰＤＣＣＨを介して、再びユーザー機器ＣＯＴユニット内でアップリンク伝送を行う前にチャネル検出プロセスの実行が要否に関する情報を伝送してもよい。
【００７３】
以上のように、本開示の実施例によれば、ＧＣ-ＰＤＣＣＨとＰＤＣＣＨとの両方を利用してユーザー機器がＣＯＴユニット内でアップリンク伝送を行う前にチャネル検出プロセスの実行が要否に関する情報を送信することにより、ユーザー機器ＧＣ-ＰＤＣＣＨ上での情報を受信しない、又は、ＧＣ-ＰＤＣＣＨ上の情報を正しく復調しないことを防止することができる。
【００７４】
本開示の実施例によれば、チャネル検出プロセスは、ＬＢＴ（Ｌｉｓｔｅｎ  Ｂｅｆｏｒｅ  Ｔａｌｋ）プロセスであってもよい。例えば、チャネル検出プロセスはＴｙｐｅ２（タイプ２）のチャネル検出プロセス、即ち、ランダムバックオフプロセスを含まないチャネル検出プロセスであってもよい。
【００７５】
以上のように、本開示の実施例によれば、電子機器１００は、ユーザー機器に、ＣＯＴユニット内アップリンク伝送を行う前にチャネル検出プロセスの実行が要否に関する情報を配置することができる。よって、場合によってはチャネル検出プロセスを実行しないことにより、シグナリングのオーバーヘッドを節約する。
【００７６】
<２.４  ＧＣ-ＰＤＣＣＨを介してチャネル検出プロセスのパラメーター情報をキャリアーする>
本開示の実施例によれば、配置ユニット１１０は、ＧＣ-ＰＤＣＣＨを介して送信される情報を配置することで、ＧＣ-ＰＤＣＣＨを介して、ＭＣＯＴのＣＯＴ内でアップリンク伝送を行う前に実行されたチャネル検出プロセスに関するパラメーター情報を伝送することができる。
【００７７】
本開示の実施例によれば、電子機器１００はＧＣ-ＰＤＣＣＨを介してユーザー機器に、ＣＯＴユニット内でアップリンク伝送を行う前にチャネル検出プロセスの実行が要否に関する情報を送信しない場合に、デフォルトで、ユーザー機器は、毎回のアップリンク伝送の前にチャネル検出プロセスを実行する必要があるので、ＭＣＯＴのＣＯＴ内でアップリンク伝送を行う前に実行されたチャネル検出プロセスに関するパラメーターは全てのチャネル検出プロセスに向けることができる。電子機器１００は、ＧＣ-ＰＤＣＣＨを介してユーザー機器にＣＯＴユニット内でアップリンク伝送を行う前にチャネル検出プロセスを実行する必要があることに関する情報を送信する場合に、ＭＣＯＴのＣＯＴ内でアップリンク伝送を行う前に実行されたチャネル検出プロセスに関するパラメーターは、実行を必要とするチャネル検出プロセスに向けることができる。
【００７８】
本開示の実施例によれば、チャネル検出プロセスのパラメーターはチャネル検出プロセスの開始時間情報、例えば、開始時間が位置するＯＦＤＭシンボルの位置を含むがそれに限定されない。勿論、チャネル検出プロセスのパラメーターは、他のチャネル検出プロセスの実行に関するパラメーターを含んでもよい。
【００７９】
以上のように、本開示の実施例によれば、電子機器１００は、ＧＣ-ＰＤＣＣＨを介してチャネル検出プロセスに関するパラメーターをキャリアーすることができる。ＰＤＣＣＨの公衆サーチエリアはセル全体おけるユーザー機器に向けることに比べて、ＧＣ-ＰＤＣＣＨは、一組のユーザー機器に向けることにより、ユーザー範囲はある程度縮小される。ＰＤＣＣＨの固有サーチエリアは特定のユーザー機器に向けることに比べて、相似する情報を一組のユーザー機器に送信できることにより、シグナリングオーバーヘッドは節約される。
【００８０】
<２.５  ＧＣ-ＰＤＣＣＨを介して１つ前のスロットにおけるデータに関する制御情報をキャリアーする>
本開示の実施例によれば、配置ユニット１１０は、ＧＣ-ＰＤＣＣＨを介して送信される情報を配置することで、ＧＣ-ＰＤＣＣＨを介してＧＣ-ＰＤＣＣＨが位置するスロットの１つ前のスロットにおけるデータに関する制御情報を伝送することができる。
【００８１】
図９は、本開示の実施例による、ＧＣ-ＰＤＣＣＨを介して１つ前のスロットにおけるデータに関する制御情報を伝送することを示す模式図である。図９では、横軸は時間を表し、縦軸は周波数を表す。図９に、三つのスロット（スロット１、スロット２、スロット３）の場合を示している。斜線のハッチング領域は、ＰＤＣＣＨが占める領域、例えば、各スロットの最初の三つのＯＦＤＭシンボルを示している。黒いベタ領域は、ＧＣ-ＰＤＣＣＨが占める領域を示している。グリッド領域は、アンライセンススペクトルに対するダウンリンク伝送の開始位置を示している。図９に示すように、さまざまな理由により、スロット１にＰＤＣＣＨを送信しないため、ユーザー機器はスロット１におけるデータを復号化することができない。本開示の実施例によれば、スロット２におけるＧＣ-ＰＤＣＣＨを利用してスロット１におけるデータに関する制御情報をキャリアーすることができる。よって、スロット１におけるデータは無駄にならないようにする。なお、図９に示していないが、スロット２におけるＧＣ-ＰＤＣＣＨは、前記の任意の実施方式に応じて、他の情報、例えば、ダウンリンク伝送の終了位置の情報、スロット２及びスロット２以後のスロットのＳＦＩ情報などをキャリアーすることができる。
【００８２】
本開示の実施例によれば、１つ前のスロットで１つ前のスロットにおけるデータに関する制御情報を送信しなかった場合に、電子機器１００は、ＧＣ-ＰＤＣＣＨを介して１つ前のスロットにおけるデータに関する制御情報を伝送することができる。ここで、１つ前のスロットは、ＧＣ-ＰＤＣＣＨを送信するスロットであってもよいし、ＧＣ-ＰＤＣＣＨを送信しないスロットであってもよい。
【００８３】
本開示の実施例によれば、１つ前のスロットで１つ前のスロットにおけるデータに関する制御情報を送信しない理由は、１つ前のスロットのＰＤＣＣＨ領域の後に、電気機器１００のチャネル検出が成功したためである。図９に示すように、電子機器１００が、スロット１のＰＤＣＣＨ領域の後にチャネルアイドルを検出しかできない。ＰＤＣＣＨの送信時間を逃したため、スロット１におけるデータに関する制御情報は送信されない。なお、図９に、スロット１におけるＰＤＣＣＨ領域にＧＣ-ＰＤＣＣＨを含まない場合を示したが、スロット１におけるＰＤＣＣＨにＧＣ-ＰＤＣＣＨを含んでもよく、このときに、ＧＣ-ＰＤＣＣＨも送信されない。
【００８４】
本開示の実施例によれば、アンライセンススペクトルに対するダウンリンク伝送開始位置が１つのスロットのＰＤＣＣＨ領域の後に位置し、当該スロットで当該スロットでデータに関する制御情報が送信されない仮定すると、この場合にユーザー機器は当該スロットにおけるデータに関する制御情報を知らないので、この部分のデータを復号化することができなく、リソースの浪費を招く。本開示の実施例によれば、次のスロットのＧＣ-ＰＤＣＣＨを利用して１つ前のスロットにおけるデータに関する制御情報をキャリアーすることができ、ユーザー機器はこの部分のデータを復号化することができ、チャネルの利用率を向上させる。
【００８５】
本開示の実施例によれば、１つ前のスロットにおけるデータはダウンリンク伝送の一部のデータであってもよく、つまり、当該ＧＣ-ＰＤＣＣＨが位置するスロットは、１つ前のスロットで送信されないダウンリンクデータを引き続き送信し、即ち、１つ前のスロットにおけるデータは当該ＧＣ-ＰＤＣＣＨが位置するスロットにおけるデータと同一のデータパケットに属する。さらに、１つ前のスロットにおけるデータはダウンリンク伝送の全てのデータであってもよい。つまり、１つ前のスロットにおけるデータは１つの完全なデータパケットを含む。
【００８６】
本開示の実施例によれば、１つ前のスロットにおけるデータに関する制御情報は、１つ前のスロットにおけるデータを復号化するために用いられてもよく、即ち、１つ前のスロットにおけるデータの復号化に関する情報である。例えば、制御情報は、１つ前のスロットにおけるデータのＭＣＳ（Ｍｏｄｕｌａｔｉｏｎ  ａｎｄ  Ｃｏｄｉｎｇ  Ｓｃｈｅｍｅ、変調及び符号化スキーム）レベルを指示してもよい。具体的に、制御情報は１つ前のスロットにおけるデータのＭＣＳレベルのインデックスを含んでもよい。つまり、電子機器１００とユーザー機器との両方にはＭＣＳレベル及びインデックスの対応関係が記憶されており、ユーザー機器はＭＣＳレベルのインデックスを取得すると、ＭＣＳレベルを確定できる。よって、データを復号化することができる。さらに、ユーザー機器が１つ前のスロットのダウンリンク配置情報を確定できるように、制御情報は１つ前のスロットにおけるデータのＳＦＩを指示することでデータを復号化してもよい。
【００８７】
本開示の実施例によれば、１つ前のスロットで制御情報が送信されないので、１つ前のスロットはＧＣ-ＰＤＣＣＨを送信するスロットであると仮定すると、１つ前のスロットのＧＣ-ＰＤＣＣＨも送信されないため、ユーザー機器は、１つ前のスロットのＳＦＩを知らない可能性がある。従って、電子機器１００は、デフォルトのスロットフォーマット情報ＳＦＩに応じて、ＧＣ-ＰＤＣＣＨが位置するスロットの１つ前のスロットにおけるデータを送信することができる。例えば、電子機器１００は、電子機器１００とユーザー機器とが事前に約束されたＳＦＩに応じて１つ前のスロットにおけるデータを送信することができる。よって、ユーザー機器は、事前に約束されたＳＦＩに応じて１つ前のスロットにおけるデータを受信することができる。さらに、電子機器１００は、電子機器１００に設置された１つ前のスロットのＳＦＩに応じて（即ち、１つ前のスロットでＧＣ-ＰＤＣＣＨを送信した場合におけるＳＦＩと同様に設置する）、１つ前のスロットにおけるデータを送信してもよい。よって、ユーザー機器は、デフォルトで、当該スロットにおけるＯＦＤＭシンボルが全部でダウンリンク伝送に用いられることにより、全てのＯＦＤＭシンボル上で１つ前のスロットのデータを受信する。
【００８８】
本開示の実施例によれば、ＧＣ-ＰＤＣＣＨは１つ前のスロットにおけるＳＦＩをキャリアーすることができる。つまり、１つのスロットにおけるＧＣ-ＰＤＣＣＨは、このスロットのＳＦＩ、このスロットの後のスロットのＳＦＩ、及びこのスロットの前のスロットのＳＦＩの一つまたは複数をキャリアーすることができる。さらに、１つスロットにおけるＧＣ-ＰＤＣＣＨは、１つ又は複数のスロットのＳＦＩをキャリアーすることができる。
【００８９】
本開示の実施例によれば、通信ユニット１２０は、さらに、ユーザー機器がＧＣ-ＰＤＣＣＨを介して１つ前のスロットにおけるデータに関する制御情報を受信するように、ユーザー機器に通知を送信することができる。
【００９０】
本開示の実施例によれば、ＧＣ-ＰＤＣＣＨに一定の周期があるため、現在のスロットはＧＣ-ＰＤＣＣＨを送信するスロットではないと仮定すると、電子機器は、現在のスロットのＧＣ-ＰＤＣＣＨを利用して１つ前のスロットのデータに関する制御情報をキャリアーする必要がある一方、ユーザー機器は、元のＧＣ-ＰＤＣＣＨ受信周期でＧＣ-ＰＤＣＣＨを受信するため、現在のスロットでＧＣ-ＰＤＣＣＨを受信しない。この場合、電子機器１００はユーザー機器に通知を送信して、ユーザー機器に対して現在のスロットのＧＣ-ＰＤＣＣＨを受信して１つ前のスロットにおけるデータに関する制御情報を取得する必要があることを通知することができる。図９を例にして、電子機器１００は、ダウンリンクデータ開始位置がスロット１のＰＤＣＣＨ領域を逃したことを発見すると、ユーザー機器に通知を送信して、ユーザー機器に対してスロット２でＧＣ-ＰＤＣＣＨを受信することを通信することができる。
【００９１】
本開示の実施例によれば、電子機器１００は、ライセンススペクトルによりユーザー機器に上記の通知を送信することができる。さらに、電子機器１００は上位層シグナリング（ＲＲＣシグナリングを含むがそれに限定されない）又は低層シグナリングを利用して（物理層シグナリングを含むがそれに限定されない）、ライセンススペクトルによりユーザー機器にこのような通知を送信してもよい。
【００９２】
本開示の実施例によれば、電子機器１００は、さらに、ＧＣ-ＰＤＣＣＨの送信周期を配置し、配置されたＧＣ-ＰＤＣＣＨの送信周期をユーザー機器に送信することができる。また、電子機器１００は、さらに、ＧＣ-ＰＤＣＣＨの送信周期を再配置し、再配置されたＧＣ-ＰＤＣＣＨの送信周期をユーザー機器に送信してもよい。
【００９３】
本開示の実施例によれば、電子機器１００は、ライセンススペクトルを介して、ユーザー機器にＧＣ-ＰＤＣＣＨの送信周期又は再配置されたＧＣ-ＰＤＣＣＨの送信周期を送信することができる。さらに、電子機器１００は、上位層シグナリング（ＲＲＣシグナリングを含むがそれに限定されない）又は低層シグナリングを利用して（物理層シグナリングを含むがそれに限定されない）、ライセンススペクトルにより、ユーザー機器にＧＣ-ＰＤＣＣＨの送信周期又は再配置されたＧＣ-ＰＤＣＣＨの送信周期を送信してもよい。
【００９４】
以上のように、本開示の実施例によれば、現在のスロットのＧＣ-ＰＤＣＣＨを介して１つ前のスロットにおけるデータに関する制御情報を伝送することができ、これにより、ユーザー機器は、１つ前のスロットにおけるデータを正しく復号化することができ、チャネルの利用率を向上する。
【００９５】
また、ｅＰＤＣＣＨを介して現在のスロットにおける部分のデータに関する制御情報をキャリアーしてもよく、ｅＰＤＣＣＨは、ＰＤＳＣＨ（Ｐｈｙｓｉｃａｌ  Ｄｏｗｎｌｉｎｋ  Ｓｈａｒｅ  Ｃｈａｎｎｅｌ、物理ダウンリンク共有チャネル）のリソースを利用して制御情報をキャリアーしてもよい。従って、ＰＤＣＣＨを送信しなくても、データに挿入されるｅＰＤＣＣＨを利用して制御情報をキャリアーしてもよく、ユーザーは当該制御情報を復調することでデータを復調することができる。
【００９６】
<２.６  １つ前のスロットでＧＣ-ＰＤＣＣＨを送信しない場合に直後のスロットでＧＣ-ＰＤＣＣＨを送信する>
本開示の実施例によれば、配置ユニット１１０は、１つ前のスロットにおけるＧＣ-ＰＤＣＣＨで送信に成功しなかった場合に直後のスロットでＧＣ-ＰＤＣＣＨを送信するように、ＧＣ-ＰＤＣＣＨを介して送信されるデータを配置することができる。
【００９７】
本開示の実施例によれば、前記のように、次のスロットで送信されるＧＣ-ＰＤＣＣＨは１つ前のスロットにおけるデータに関する制御情報をキャリアーすることができる。
【００９８】
本開示の実施例によれば、ＧＣ-ＰＤＣＣＨの送信周期の設置に応じて、１つ前のスロットはＧＣ-ＰＤＣＣＨを送信すべきスロットであると仮定すると、直後のスロットはＧＣ-ＰＤＣＣＨを送信すべきスロットであってもよく、ＧＣ-ＰＤＣＣＨを送信すべきではないスロットであってもよい。本開示の実施例によれば、１つ前のスロットにおけるＧＣ-ＰＤＣＣＨで送信に成功しなかった場合に、電子機器１００は、ＧＣ-ＰＤＣＣＨの送信周期によらず、直後のスロットでＧＣ-ＰＤＣＣＨを送信する。
【００９９】
図１０は、本開示の実施例による、１つ前のスロットで制御情報が送信されない場合にＧＣ-ＰＤＣＣＨの送信周期によらず、次のスロットで１つ前のスロットにおけるデータに関する制御情報を送信することを示す模式図である。図１０に示すように、横軸は時間を表し、縦軸は周波数を表す。図１０に、四つのスロット（スロット１、スロット２、スロット３、スロット４）の場合を示している。斜線のハッチング領域は、ＰＤＣＣＨが占める領域、例えば、各スロットの最初の三つのＯＦＤＭシンボルを示している。黒いベタ領域は、ＧＣ-ＰＤＣＣＨが占める領域を示している。グリッド領域は、アンライセンススペクトルに対するダウンリンク伝送の開始位置を示している。図１０に、ＧＣ-ＰＤＣＣＨの送信周期は二つのスロット、即ち、スロット１及びスロット３で送信すべきＧＣ-ＰＤＣＣＨである。図１０に示すように、さまざまな理由により、例えば、以上で記載されたチャネル検出に成功しなかったなどにより、スロット１におけるＰＤＣＣＨ領域は送信をしない、即ち、スロット１におけるＧＣ-ＰＤＣＣＨは送信に成功しなかった場合、電子機器１００は、スロット２でＧＣ-ＰＤＣＣＨを送信することができる。ここで、スロット２はＧＣ-ＰＤＣＣＨを送信すべきスロットではないので、電子機器１００はスロット２を利用してスロット１におけるデータに関する制御情報を送信することができる。
【０１００】
以上のように、本開示の実施例によれば、１つ前のスロットにおけるＧＣ-ＰＤＣＣＨは送信に成功しなかった場合に、電子機器１００は直後のスロットでＧＣ-ＰＤＣＣＨを送信することができる。このようにして、直後のスロットにおいて、電子機器１００がチャネルを既に占用している。したがって、ＧＣ-ＰＤＣＣＨは、直後のスロットで送信されて、ユーザー機器によって正しく受信され復号化される可能性は大幅に増加される。
【０１０１】
本開示の実施例によれば、スロット２はＧＣ-ＰＤＣＣＨを送信すべきスロットではないので、電子機器１００は、ユーザー機器がＧＣ-ＰＤＣＣＨを介して１つ前のスロットにおけるデータに関する制御情報を送信するように、ユーザー機器に通知を送信することができる。さらに、電子機器１００は、ライセンススペクトルによりユーザー機器に通知を送信してもよい。本開示の実施例によれば、電子機器１００は、ユーザー機器に通知を送信しなくてもよい。よって、ユーザー機器はスロット１でＧＣ-ＰＤＣＣＨを受信しなかった場合に自動的にスロット２でＧＣ-ＰＤＣＣＨを受信する。
【０１０２】
本開示の実施例によれば、電子機器１００はＧＣ-ＰＤＣＣＨの送信周期を変えてもよく、ユーザー機器へＧＣ-ＰＤＣＣＨの送信周期を再配置してもよい。例えば、電子機器１００は、ライセンススペクトルによりユーザー機器へ再配置されたＧＣ-ＰＤＣＣＨの送信周期を送信してもよい。
【０１０３】
以上のように、本開示の実施例によれば、電子機器１００は１つ前のスロットでＧＣ-ＰＤＣＣＨの送信に成功しなかった場合に、一時にＧＣ-ＰＤＣＣＨの送信周期によらず、直後のスロットを利用してＧＣ-ＰＤＣＣＨを送信することができることにより、ユーザー機器は１つ前のスロットにおけるデータを確実に復調し、チャネル利用率を向上させることができる。
【０１０４】
このように、本開示の実施例による電子機器１００は、ＧＣ-ＰＤＣＣＨを介してアンライセンススペクトルに対するダウンリンク伝送終了位置の情報、ダウンリンク伝送のＭＣＯＴの長さと時間領域位置情報、ＣＯＴユニット内でアップリンク伝送を行う前にチャネル検出プロセスの実行が要否に関する情報、チャネル検出プロセスのパラメーター情報、及びＧＣ-ＰＤＣＣＨが位置するスロットの１つ前のスロットにおけるデータに関する制御情報の一つまたは複数を伝送することができる。本開示の実施例によれば、電子機器１００は上記の情報のいずれかを個別に送信してもよく、複数の情報を組み合わせて送信してもよい。ＰＤＣＣＨの公衆サーチエリアはセル全体のユーザー機器に向けることに比べて、ＧＣ-ＰＤＣＣＨは一組のユーザー機器に向けることにより、ユーザー範囲はある程度縮小される。ＰＤＣＣＨの固有サーチエリアは特定のユーザー機器に向けることに比べて、ＧＣ-ＰＤＣＣＨは一組のユーザー機器に向けることにより、シグナリングオーバーヘッドは節約される。このように、本開示はＮＲ通信システムの特性に応じてＧＣ-ＰＤＣＣＨをより合理的に設計するようになる。
【０１０５】
<２.７  ダウンリンク伝送開始位置のキャリアー>
本開示の実施例によれば、配置ユニット１１０は、アンライセンススペクトルに対するダウンリンク伝送の開始位置の情報を配置することができ、通信ユニット１２０は、アンライセンススペクトルに対するダウンリンク伝送の開始位置の情報を送信することができる。
【０１０６】
本開示の実施例によれば、上位層シグナリングを介して、ＲＲＣシグナリングを含むがそれに限定されず、アンライセンススペクトルに対するダウンリンク伝送の開始位置の情報をキャリアーすることができる。
【０１０７】
本開示の実施例によれば、アンライセンススペクトルに対するダウンリンク伝送の開始位置の情報は、当該ダウンリンク伝送の開始位置に対応するサブフレームの指示情報、当該ダウンリンク伝送の開始位置に対応するスロットの指示情報、及び当該ダウンリンク伝送の開始位置に対応するＯＦＤＭシンボルの指示情報の一つまたは複数を含んでもよい。
【０１０８】
本開示の実施例によれば、アンライセンススペクトルに対するダウンリンク伝送の開始位置は、アンライセンススペクトルに対するダウンリンク伝送の可能な開始位置を含んでもよい。このため、アンライセンススペクトルに対するダウンリンク伝送の開始位置の情報には１つ又は複数の開始位置を含んでもよい。
【０１０９】
本開示の実施例によれば、配置ユニット１１０は、ダウンリンク伝送のＭＣＯＴに含まれるＯＦＤＭシンボルの長さ（または、サブキャリア間隔の大きさ）に応じて、アンライセンススペクトルに対するダウンリンク伝送の開始位置の情報を配置することができる。具体的に、ＭＣＯＴに含まれるＯＦＤＭシンボルの長さが小さいほど、即ち、サブキャリア間隔が大きいほど、アンライセンススペクトルに対するダウンリンク伝送の開始位置を多く配置することができる。つまり、ＭＣＯＴに含まれるＯＦＤＭシンボルの長さが小さいほど、１つのサブフレームに含まれるスロット数が多くなるため、選択可能なダウンリンク伝送の開始位置が多くなる。
【０１１０】
本開示の実施例によれば、アンライセンススペクトルに対するダウンリンク伝送の開始位置の情報は、当該ダウンリンク伝送の開始位置に対応するＯＦＤＭシンボルの指示情報を含んでもよい。具体的に、当該指示情報はサブフレームにおけるＯＦＤＭシンボルのインデックスを含んでもよい。例えば、１つのサブフレーム内のＯＦＤＭシンボルが時間領域の順序でソーティングされ番号付けされることで、各ＯＦＤＭシンボルのインデックスを確定してもよい。さらに、ダウンリンク伝送の１つ又は複数の開始位置を確定した後に、配置ユニット１１０は、この１つ又は複数の開始位置に対応するＯＦＤＭシンボルのインデックスを、アンライセンススペクトルに対するダウンリンク伝送の開始位置の情報として配置し、通信ユニット１２０によりこのような情報を送信することができる。
【０１１１】
本開示の実施例によれば、アンライセンススペクトルに対するダウンリンク伝送の開始位置は、１つスロットの開始位置と中間位置に位置してもよい。つまり、１４個のＯＦＤＭシンボル（番号はそれぞれ＃０、＃１、…、＃１３である）を含む１つのスロットについて、アンライセンススペクトルに対するダウンリンク伝送の開始位置は番号が＃０と＃７であるＯＦＤＭシンボルに位置してもよく、これにより、シグナリングの設計を簡略化し、オーバーヘッドを節約することができる。この場合、上記の実施例に関して、サブキャリアが１５×ｎ（ｋＨＺ）である配置（ｎ＝１、２、４、８、１６、３２）について、各サブフレームはｎ個のスロットを含み、各スロットが二つのアンライセンススペクトルに対するダウンリンク伝送の開始位置としてのＯＦＤＭシンボルを含む。従って、各サブフレームに２ｎ個のアンライセンススペクトルに対するダウンリンク伝送の開始位置とすることができるＯＦＤＭシンボルを含む。ｎ＝３２の場合、各サブフレームに６４個のアンライセンススペクトルに対するダウンリンク伝送の開始位置とすることができるＯＦＤＭシンボルを含む。従って、サブフレームにおけるＯＦＤＭシンボルのインデックスを指示するには、最大６ビットの情報が必要である。
【０１１２】
本開示の実施例によれば、アンライセンススペクトルに対するダウンリンク伝送の開始位置の情報は当該ダウンリンク伝送の開始位置に対応するスロットの指示情報、及び当該ダウンリンク伝送の開始位置に対応するＯＦＤＭシンボルの指示情報を含むことができる。具体的に、当該指示情報は、サブフレームにおけるスロットのインデックス、及びスロットにおけるＯＦＤＭシンボルのインデックスを含んでもよい。例えば、１つのサブフレーム内のスロットが時間領域の順序でソーティングされ番号付けされることで、各サブフレームにおけるスロットのインデックスを確定してもよい。また、１つのスロット内のＯＦＤＭシンボルが時間領域の順序でソーティングされ番号付けされることで、スロットにおける各ＯＦＤＭのインデックスを確定してもよい。さらに、ダウンリンク伝送の１つ又は複数の開始位置を確定した後に、配置ユニット１１０は、この１つ又は複数の開始位置に対応するサブフレームにおけるスロットのインデックス、及び開始位置に対応するスロットにおけるＯＦＤＭシンボルのインデックスを、アンライセンススペクトルに対するダウンリンク伝送の開始位置の情報として配置し、通信ユニット１２０によりこのような情報を送信することができる。
【０１１３】
サブキャリアが１５×ｎ（ｋＨＺ）である配置（ｎ＝１、２、４、８、１６、３２）について、各サブフレームにｎ個のスロットを含む。ｎ＝３２の場合、各サブフレームに３２個のスロットを含むので、サブフレームにおけるスロットのインデックスを指示するには５ビットが必要である。同様に、ダウンリンク伝送の開始位置が１つのスロットのうち番号が＃０と＃７であるＯＦＤＭシンボルに位置可能な場合について、各スロットに二つのアンライセンススペクトルに対するダウンリンク伝送の開始位置とすることができるＯＦＤＭシンボルを含むので、スロットにおけるＯＦＤＭシンボルのインデックスを指示するには１ビットが必要である。つまり、開始位置に対応するサブフレームにおけるスロットのインデックス、及び開始位置に対応するスロットにおける開始位置に対応するＯＦＤＭシンボルのインデックスを指示するには合計６ビットが必要である。
【０１１４】
本開示の実施例によれば、アンライセンススペクトルに対するダウンリンク伝送の開始位置は、サブフレームの境界位置、スロットの境界位置、及びスロットの中間位置の一つまたは複数を含むことができる。
【０１１５】
ここで、サブフレームの境界位置とは、各サブフレームの開始位置を指し、スロットの境界位置とは、各スロットの開始位置を指し、当該スロットがサブフレームにおける一番目のスロットである場合、当該スロットの境界位置は実際にサブフレームの境界位置でもあり、スロットの中間位置とは、時間領域における一つのスロットの中間点を指し、１４個のＯＦＤＭシンボル（番号はそれぞれ＃０、＃１、…、＃１３である）を含む一つのスロットについて、スロットの中間位置とは、番号が＃７であるＯＦＤＭシンボルを指す。
【０１１６】
本開示の実施例によれば、アンライセンススペクトルに対するダウンリンク伝送の開始位置の情報は、開始位置の種類を指示する情報を含むことができ、ダウンリンク伝送の開始位置が、サブフレームの境界位置、スロットの境界位置、及びスロットの中間位置の１つまたは複数であるかを指示するために使用される。例示的に、種類インデックスでこのような種類情報を示すことができる。
【０１１７】
以下、上記の幾つかの情報の組み合わせを例示的に示し、サブフレームの境界位置、スロットの境界位置、サブフレームの境界位置又はスロットの境界位置、スロットの境界位置又はスロットの中間位置、及びサブフレームの境界位置又はスロットの境界位置又はスロットの中間位置である。例えば、電子機器１００は、３ビット情報で上記の組み合わせのインデックスを指示し、表２に示すようである。
【０１１８】
【表２】
2021513791.tif 000004
【０１１９】
本開示の実施例によれば、ダウンリンク伝送の開始位置はサブフレームの境界位置、スロットの境界位置、サブフレームの境界位置又はスロットの境界位置、スロットの境界位置又はスロットの中間位置、又はサブフレームの境界位置、スロットの境界位置又はスロットの中間位置に位置することができるので、電子機器１００は、サブフレームごとに、ダウンリンク伝送をスケジューリングしてもよく、スロットごとに、ダウンリンク伝送をスケジューリングしてもよく、スロットの半分長さごとに、ダウンリンク伝送をスケジューリングしてもよく、これにより、アンライセンスバンドはより多くのダウンリンク伝送機会があり、アンライセンススペクトルの利用効率を向上させる。
【０１２０】
以上のように、本開示は、非限定的な例によりアンライセンススペクトルに対するダウンリンク伝送の開始位置の情報の配置を記載したが、他の形態により、アンライセンススペクトルに対するダウンリンク伝送の開始位置の情報を配置する言うまでもなく、アンライセンススペクトルに対するダウンリンク伝送の開始位置を指示できればよい。
【０１２１】
以上のように、本開示の実施例による電子機器１００は、例えば上位層シグナリングによりアンライセンススペクトルに対するダウンリンク伝送の開始位置をキャリアーしてもよい。このようにして、ＮＲ通信システムでは、アンライセンスバンドはより多くのダウンリンク伝送機会があり、アンライセンススペクトルの利用効率を向上させる。
【０１２２】
<３.ユーザー機器の配置例>
図１１は、本開示の実施例による無線通信システムにおけるユーザー機器として使用する電子機器１１００の構成を示すブロック図である。ここでの電子機器１１００はＮＲ通信システムにおけるユーザー機器としてもよい。
【０１２３】
図１１に示すように、電子機器１１００は復調ユニット１１１０と通信ユニット１１２０とを含むことができる。
【０１２４】
ここで、電子機器１１００の各ユニットのいすれも処理回路に含まれてもよい。なお、電子機器１１００は一つの処理回路を含んでもよいし、複数の処理回路を含んでもよい。さらに、処理回路は、別々の機能ユニットを含んで各種の異なる機能及び／又は操作を実行することができる。なお、これらの機能ユニットは、物理エンティティ又は論理エンティティであってもよく、そして、異なる呼称のユニットは同一の物理エンティティにより実現されることができる。
【０１２５】
本開示の実施例によれば、通信ユニット１１２０は、電子機器１１００にサービスを提供するネットワーク側デバイスからダウンリンク情報を受信することができ、ＧＣ-ＰＤＣＣＨ及びＰＤＣＣＨを介して送信されるダウンリンク情報を含む。さらに、復調ユニット１１１０はダウンリンク情報を復調することができる。
【０１２６】
本開示の実施例によれば、電子機器１１００は、アンライセンススペクトルを利用して、ＧＣ-ＰＤＣＣＨを介して送信される情報を受信することができる。さらに、電子機器１１００は、ライセンススペクトルを利用して、ＧＣ-ＰＤＣＣＨを介して送信される情報を受信することもできる。このようにして、電子機器１１００は、ＧＣ-ＰＤＣＣＨにキャリアーされる情報を受信する信頼性を保証することができる。
【０１２７】
<３.１  ＧＣ-ＰＤＣＣＨを介してダウンリンク伝送終了位置を受信する>
本開示の実施例によれば、通信ユニット１１２０は、ＧＣ-ＰＤＣＣＨを介して情報を受信することができる。さらに、復調ユニット１１１０は、ＧＣ-ＰＤＣＣＨを介して受信される情報を復調することで、アンライセンススペクトルに対するダウンリンク伝送終了位置を取得することができる。
【０１２８】
本開示の実施例によれば、復調ユニット１１１０は、さらに、ＧＣ-ＰＤＣＣＨを介して受信される情報を復調することで、ダウンリンク伝送終了位置が位置するスロットのスロットフォーマット情報ＳＦＩを取得することができる。前記のように、ネットワーク側デバイスは、同一のスロットにおけるＧＣ-ＰＤＣＣＨを介して、ダウンリンク伝送終了位置の情報、及びダウンリンク伝送終了位置が位置するスロットのＳＦＩをキャリアーする。従って、復調ユニット１１１０は、同一のスロットにおけるＧＣ-ＰＤＣＣＨを介して受信される情報を復調することでダウンリンク伝送終了位置、及びダウンリンク伝送終了位置が位置するスロットのＳＦＩを取得することができる。
【０１２９】
本開示の実施例によれば、通信ユニット１１２０は、さらに、ＰＤＣＣＨを介して情報を受信することができる。さらに、復調ユニット１１１０は、さらに、ＰＤＣＣＨを介して受信した情報を復調することで、アンライセンススペクトルに対するダウンリンク伝送終了位置を取得することができる。以上で言及されたように、ネットワーク側デバイスは、ＧＣ-ＰＤＣＣＨとＰＤＣＣＨとの両方を介してアンライセンススペクトルに対するダウンリンク伝送終了位置の情報を伝送することができる。従って、復調ユニット１１１０は、ＰＤＣＣＨの公衆サーチエリア又は固有サーチエリアを復調することで、アンライセンススペクトルに対するダウンリンク伝送終了位置を取得することができる。
【０１３０】
本開示の実施例によれば、復調ユニット１１１０は、ＧＣ-ＰＤＣＣＨを介して受信した情報を復調することで、アンライセンススペクトルに対するダウンリンク伝送終了位置を取得することができ、ＰＤＣＣＨを介して受信した情報を復調することで、アンライセンススペクトルに対するダウンリンク伝送終了位置を取得することもでき、この両方が衝突している場合、即ち、ＧＣ-ＰＤＣＣＨを介して受信した情報を復調することで取得したダウンリンク伝送終了位置と、ＰＤＣＣＨを介して受信した情報を復調することで取得したダウンリンク伝送終了位置とが異なる場合、復調ユニット１１１０は、ＰＤＣＣＨを介して受信した情報を復調することで取得された、アンライセンススペクトルに対するダウンリンク伝送終了位置に基づく。即ち、ＰＤＣＣＨを介して受信した情報を復調することで取得されたダウンリンク伝送終了位置をダウンリンク伝送終了位置とすることができる。
【０１３１】
以上のように、本開示の実施例による電子機器１１００は、ＧＣ-ＰＤＣＣＨとＰＤＣＣＨとの両方を介してダウンリンク伝送終了位置を取得することができる。このようにして、ユーザー機器がＧＣ-ＰＤＣＣＨを受信しなったこと、又は、ＧＣ-ＰＤＣＣＨにキャリアーされる情報を誤って復号化することを防止する。
【０１３２】
図１２は、本開示の実施例による、ＧＣ-ＰＤＣＣＨを介してダウンリンク伝送終了位置を伝送することを示すシグナリングインタラクション図である。図１２に示すように、ステップＳ１２０１において、基地局は、ＧＣ-ＰＤＣＣＨを介して、アンライセンススペクトルに対するダウンリンク伝送終了位置をキャリアーする。次に、ステップＳ１２０２において、ＵＥ（Ｕｓｅｒ  Ｅｑｕｉｐｍｅｎｔ、ユーザー機器）は、ＧＣ-ＰＤＣＣＨを復調することでアンライセンススペクトルに対するダウンリンク伝送終了位置を取得する。
【０１３３】
以上のように、電子機器１１００は、ＧＣ-ＰＤＣＣＨを介してアンライセンススペクトルに対するダウンリンク伝送終了位置を取得することができる。このようにして、ＰＤＣＣＨ公衆サーチエリアの情報について、電子機器１１００は、二種のアグリゲーションレベルでブラインド検出を試みる必要があり、ＧＣ-ＰＤＣＣＨに一種のアグリゲーションレベルのサーチスペースのみを含むので、電子機器１１００のブラインド検出の作業負荷が減少される。さらに、ＰＤＣＣＨ固有サーチエリアを介して上記の情報をキャリアーすることよりも、ＧＣ-ＰＤＣＣＨを介して上記の情報をキャリアーすることで、電子機器１１００はダウンリンク伝送終了位置を早く取得することができる。よって、アップリンクフィードバック又はアップリンクデータ送信に準備を行う。
【０１３４】
<３.２  ＧＣ-ＰＤＣＣＨを介してＭＣＯＴの長さと時間領域位置を受信する>
本開示の実施例によれば、復調ユニット１１１０は、さらに、ＧＣ-ＰＤＣＣＨを介して受信した情報を復調することで、ダウンリンク伝送の最大チャネル占用時間ＭＣＯＴの長さと時間領域位置を取得することができ、ＭＣＯＴは１つ又は複数のスロットを含む。
【０１３５】
前記のように、ＭＣＯＴにおける各スロットを１つのＣＯＴユニットとして定義することができる。つまり、ＭＣＯＴは１つ又は複数のＣＯＴユニットを含む。ここで、ＭＣＯＴの長さは、例えば、スロット又はＣＯＴユニットの数で示されてもよく、ＭＣＯＴの時間領域位置は、例えば、ＭＣＯＴに含まれるすべてのスロット又はＣＯＴユニットのスロット番号などを含んでもよい。
【０１３６】
ＬＴＥ通信システムでは、ＭＣＯＴの長さと時間領域位置はネットワーク側デバイスのみが知り、ユーザー機器がＭＣＯＴの長さと時間領域位置を知らない。このように、ユーザー機器はアップリンクフィードバックを行うことに間に合わない可能性がある。本開示の実施例によれば、電子機器１１００は、ＧＣ-ＰＤＣＣＨを介してＭＣＯＴの長さと時間領域位置を取得することができる。よって、アップリンクフィードバックのために準備する。
【０１３７】
本開示の実施例によれば、ＭＣＯＴにおける各ＣＯＴユニットに含まれるアップリンク伝送とダウンリンク伝送との間のスイッチングポイントの数は２以下である。つまり、電子機器１１００は、ＣＯＴユニット内でアップリンク伝送を行うことができ、例えば、アップリンクフィードバック情報を送信する。さらに、電子機器１１００がアップリンクフィードバックを行った後、ネットワーク側デバイスは、さらに、ダウンリンクデータを続いて送信することができる。よって、チャネルの利用率が向上される。さらに、ＭＣＯＴに含まれるアップリンク伝送とダウンリンク伝送との間のスイッチングポイントの数は所定の閾値以下であってもよい。よって、頻繁的にアップダウンリンクをスイッチングすることが回避される。
【０１３８】
以上に示すように、本開示の実施例によれば、ＮＲ通信システムに対してＭＣＯＴ内のＣＯＴユニットを定め、各ＣＯＴユニットはＬＴＥ通信システムにおけるＭＣＯＴと類似する。つまり、各ＣＯＴユニットにおいて、電子機器１１００によるアップリンクデータのフィードバックを許可する。また、電子機器１１００は、アップリンクデータのフィードバックを行った後に、ネットワーク側デバイスがダウンリンクデータを継続して送信することを許可する。このようにして、ＮＲ通信システムの配置をより柔軟にすることができる。
【０１３９】
<３.３  ＧＣ-ＰＤＣＣＨを介してＭＣＯＴ内アップリンク伝送を行う前にチャネル検出プロセスの実行が要否に関する情報を受信する>
本開示の実施例によれば、復調ユニット１１１０は、ＧＣ-ＰＤＣＣＨを介して受信した情報を復調することで、ＭＣＯＴのＣＯＴユニット内でアップリンク伝送を行う前にチャネル検出プロセスの実行が要否を確定することができる。
【０１４０】
本開示の実施例によれば、復調ユニット１１１０により復調された情報は、ＭＣＯＴのＣＯＴユニット内でアップリンク伝送を行う前に、チャネル検出プロセスを実行する必要があることを示す場合に、電子機器１１００は、チャネル検出プロセスを実行する必要があり、チャネル検出がアイドルである場合にのみ、ＣＯＴユニット内でアップリンク伝送を行う。さらに、復調ユニット１１１０により復調された情報は、ＭＣＯＴのＣＯＴユニット内でアップリンク伝送を行う前にチャネル検出プロセスを実行する必要がないことを示す場合に、電子機器１１００は、チャネル検出プロセスを実行する必要がせず、ＭＣＯＴのＣＯＴユニット内でアップリンク伝送を直接行うことができる。
【０１４１】
本開示の実施例によれば、アップリンク伝送は、ネットワーク側デバイスからのダウンリンクデータに対するアップリンクフィードバック、例えば、ＡＣＫ／ＮＡＣＫを含むことができる。また、チャネル検出プロセスは、ＬＢＴプロセス、例えばＴｙｐｅ２のチャネル検出プロセスであってもよい。
【０１４２】
本開示の実施例によれば、通信ユニット１１２０は、さらに、ＰＤＣＣＨを介して情報を受信することができる。さらに、復調ユニット１１１０は、さらに、ＰＤＣＣＨを介して受信した情報を復調することで、ＭＣＯＴのＣＯＴユニット内でアップリンク伝送を行う前にチャネル検出プロセスの実行が要否を確定することができる。
【０１４３】
本開示の実施例によれば、復調ユニット１１１０は、ＧＣ-ＰＤＣＣＨを介して受信した情報を復調することで、ＭＣＯＴのＣＯＴユニット内でアップリンク伝送を行う前にチャネル検出プロセスの実行が要否を確定することができ、ＰＤＣＣＨを介して受信した情報を復調することで、ＭＣＯＴのＣＯＴユニット内でアップリンク伝送を行う前にチャネル検出プロセスの実行が要否を確定することもできる。さらに、その両方が衝突している場合に、即ち、ＧＣ-ＰＤＣＣＨを介して受信した情報を復調することでＭＣＯＴのＣＯＴユニット内でアップリンク伝送を行う前にチャネル検出プロセスを実行する必要があると確定し、ＰＤＣＣＨを介して受信した情報を復調することで確定されたＭＣＯＴのＣＯＴユニット内でアップリンク伝送を行う前にチャネル検出プロセスを実行する必要がない、又はＧＣ-ＰＤＣＣＨを介して受信した情報を復調することで確定されたＭＣＯＴのＣＯＴユニット内でアップリンク伝送を行う前にチャネル検出プロセスを実行する必要がない、ＰＤＣＣＨを介して受信した情報を復調することで確定されたＭＣＯＴのＣＯＴユニット内でアップリンク伝送を行う前にチャネル検出プロセスを実行する必要がある場合に、復調ユニットは、ＰＤＣＣＨを介して受信した情報を復調することで確定された、ＭＣＯＴのＣＯＴユニット内でアップリンク伝送を行う前にチャネル検出プロセスの実行要否に基づく。
【０１４４】
以上のように、本開示の実施例によれば、電子機器１１００は、ＧＣ-ＰＤＣＣＨとＰＤＣＣＨとの両方を介して、電子機器１１００ＣＯＴユニット内でアップリンク伝送を行う前にチャネル検出プロセスの実行が要否に関する情報を受信することができ、電子機器１１００がＧＣ-ＰＤＣＣＨ上の情報を受信しなかったこと、又は、ＧＣ-ＰＤＣＣＨ上の情報を正しく復調しないことを防止する。さらに、ネットワーク側デバイスは、電子機器１１００に、ＣＯＴユニット内でアップリンク伝送を行う前にチャネル検出プロセスの実行が要否を配置することができる。つまり、場合によっては、電子機器１１００は、チャネル検出プロセスを実行する必要がせず、ＣＯＴユニット内でアップリンク伝送を直接行うことができることにより、シグナリングオーバーヘッドは節約される。
【０１４５】
<３.４  ＧＣ-ＰＤＣＣＨを介してチャネル検出プロセスのパラメーター情報を受信する>
本開示の実施例によれば、復調ユニット１１００は、ＧＣ-ＰＤＣＣＨを介して受信した情報を復調することで、ＭＣＯＴのＣＯＴユニット内でアップリンク伝送を行う前に実行されたチャネル検出プロセスのパラメーターを取得することができる。
【０１４６】
本開示の実施例によれば、電子機器１１００は、ネットワーク側デバイスから、ＣＯＴユニット内でアップリンク伝送を行う前にチャネル検出プロセスの実行が要否に関する情報を受信しなかった場合、デフォルトで、電子機器１１００は、毎回のアップリンク伝送の前にチャネル検出プロセスを実行する必要がある。このため、ＭＣＯＴのＣＯＴ内でアップリンク伝送を行う前に実行されたチャネル検出プロセスのパラメーターに関して、全てのチャネル検出プロセスに向けることができる。電子機器１１００は、ネットワーク側デバイスから、ＣＯＴユニット内でアップリンク伝送を行う前にチャネル検出プロセスを実行する必要があることに関する情報を受信した場合、ＭＣＯＴのＣＯＴ内でアップリンク伝送を行う前に実行されたチャネル検出プロセスのパラメーターに関して、実行を必要とするチャネル検出プロセスに向けることができる。
【０１４７】
本開示の実施例によれば、チャネル検出プロセスのパラメーターはチャネル検出プロセスの開始時間情報、例えば、開始時間が位置するＯＦＤＭシンボルの位置を含むがそれに限定されない。勿論、チャネル検出プロセスのパラメーターは、他のチャネル検出プロセスの実行に関するパラメーターを含んでもよい。
【０１４８】
以上のように、本開示の実施例によれば、電子機器１１００は、ＧＣ-ＰＤＣＣＨを介して、チャネル検出プロセスに関するパラメーターを取得することができる。ＧＣ-ＰＤＣＣＨは、一つのアグリゲーションレベルのサーチスペースのみを含むので、ユーザー機器のブラインド検出の作業負荷が減少される。さらに、ＧＣ-ＰＤＣＣＨを介して上記の情報をキャリアーすることで、使得電子機器１１００は、チャネル検出プロセスに関するパラメーターをより早く取得することができる。よって、アップリンクフィードバック又はアップリンクデータの送信によく準備する。
【０１４９】
図１３は、本開示の実施例による、ＧＣ-ＰＤＣＣＨを介してＭＣＯＴの長さと位置、ＬＢＴの実行が要否、及びＬＢＴパラメーターの少なくとも一つを伝送することを示すシグナリングインタラクション図である。図１３に示すように、ステップＳ１３０１において、基地局は、ＧＣ-ＰＤＣＣＨを介して、ＭＣＯＴの長さと時間領域位置、ＣＯＴユニット内でアップリンク伝送を行う前にＬＢＴプロセスの実行が要否、及びＬＢＴプロセスに関するパラメーターの少なくとも一つの情報をキャリアーする。次に、ステップＳ１３０２において、ＵＥは、ＧＣ-ＰＤＣＣＨを復調することで、上記の情報を取得する。ＵＥによって取得されたＬＢＴプロセスの実行が要否に関する情報はＬＢＴプロセスを実行する必要があることを示し、又はＵＥがＬＢＴプロセスの実行が要否に関する情報を受信しなかったと仮定すると、ステップＳ１３０３において、ＵＥは、アップリンク伝送の前にＬＢＴプロセスを実行する。次に、ステップＳ１３０４において、チャネル検出がアイドルである場合に、ＵＥは、ＣＯＴユニット内でＡＣＫ／ＮＡＣＫ情報を送信する。ステップＳ１３０２でＵＥによって取得されたＬＢＴプロセスの実行が要否に関する情報がＬＢＴプロセスを実行する必要がないことを示すと仮定すると、ステップＳ１３０４において、ＵＥは、ＣＯＴユニット内でＡＣＫ／ＮＡＣＫ情報を直接に送信する。図１３に、チャネル検出プロセスがＬＢＴプロセスであり、且つ、アップリンク伝送がＡＣＫ／ＮＡＣＫ情報である例のみを示し、チャネル検出プロセスは他のタイプのチャネル検出プロセスであり、且つアップリンク伝送は他のアップリンク情報であることは言うまでもない。
【０１５０】
<３.５  ＧＣ-ＰＤＣＣＨを介して１つ前のスロットにおけるデータに関する制御情報を受信する>
本開示の実施例によれば、復調ユニット１１１０は、ＧＣ-ＰＤＣＣＨを介して受信した情報を復調することで、ＧＣ-ＰＤＣＣＨが位置するスロットの１つ前のスロットにおけるデータに関する制御情報を取得することができる。
【０１５１】
本開示の実施例によれば、１つ前のスロットにおけるデータはダウンリンク伝送の一部のデータであってもよく、つまり、当該ＧＣ-ＰＤＣＣＨが位置するスロットは１つ前のスロットで送信されないダウンリンクデータを引き続き送信し、即ち、１つ前のスロットにおけるデータは、当該ＧＣ-ＰＤＣＣＨが位置するスロットにおけるデータと同一のデータパケットに属する。さらに、１つ前のスロットにおけるデータは、ダウンリンク伝送のデータの全部であってもよい。つまり、１つ前のスロットにおけるデータは１つの完全なデータパケットを含む。
【０１５２】
本開示の実施例によれば、制御情報は、１つ前のスロットにおけるデータを復調するために用いられることができる。つまり、制御情報は、１つ前のスロットにおけるデータの復調に関する。
【０１５３】
本開示の実施例によれば、電子機器１１００は、制御情報に応じて、１つ前のスロットにおけるデータのＭＣＳレベルを確定することができる。具体的に、制御情報は１つ前のスロットにおけるデータのＭＣＳレベルのインデックスを含んでもよい。つまり、ネットワーク側デバイスと電子機器１１００との両方には、ＭＣＳレベル及びインデックスの対応関係が記憶され、電子機器１１００がＭＣＳレベルのインデックスを取得すると、ＭＣＳレベルを確定することができる。よって、データを復号化する。
【０１５４】
さらに、電子機器１１００は、制御情報に応じて、１つ前のスロットにおけるデータのＳＦＩを確定することができる。よって、１つ前のスロットのアップダウンリンク配置情報を確定し、１つ前のスロットにおけるデータを復号化することができる。
【０１５５】
本開示の実施例によれば、１つ前のスロットで制御情報が送信されなかったので、１つ前のスロットがＧＣ-ＰＤＣＣＨを送信するスロットであると仮定すると、１つ前のスロットのＧＣ-ＰＤＣＣＨは送信されないので、電子機器１１００は、１つ前のスロットのＳＦＩを知らない可能性が高い。従って、電子機器１１００は、デフォルトのスロットフォーマット情報ＳＦＩに応じて、ＧＣ-ＰＤＣＣＨが位置するスロットの１つ前のスロットにおけるデータを受信することができる。例えば、電子機器１１００は、ネットワーク側デバイスと事前に約束されたＳＦＩに応じて１つ前のスロットにおけるデータを受信することができる。さらに、電子機器１１００は、デフォルトで当該スロットにおけるＯＦＤＭシンボルを全部でダウンリンク伝送に使用してもよい。よって、全てのＯＦＤＭシンボル上で１つ前のスロットのデータを受信する。
【０１５６】
本開示の実施例によれば、電子機器１１００は、１つ前のスロットで受信したデータを記憶し、制御情報に応じて１つ前のスロットにおけるデータを復調することができる。例えば、電子機器１１００は、制御情報におけるＳＦＩに応じて１つ前のスロットにおけるデータのスロットフォーマットを確定し、制御情報におけるＭＣＳレベルに応じて１つ前のスロットにおけるデータのＭＣＳレベルを確定し、さらに、１つ前のスロットにおけるデータを復調してもよい。
【０１５７】
図１４は、本開示の実施例による、ＧＣ-ＰＤＣＣＨを介して１つ前のスロットにおけるデータに関する制御情報を伝送することを示すシグナリングインタラクション図である。図１４に示すように、ステップＳ１４０１において、基地局は１つ前のスロットにおけるデータをＵＥに送信し、ＵＥは１つ前のスロットにおけるデータを受信して記憶する。次に、ステップＳ１４０２において、基地局は、現在のスロットのＧＣ-ＰＤＣＣＨを介して、１つ前のスロットにおけるデータに関する制御情報を搬送する。次に、ステップＳ１４０３において、ＵＥは、ＧＣ-ＰＤＣＣＨを復調することで、１つ前のスロットにおけるデータに関する制御情報を取得する。次に、ステップＳ１４０４において、ＵＥは制御情報に応じて１つ前のスロットにおけるデータを復調する。
【０１５８】
本開示の実施例によれば、電子機器１１００は、ネットワーク側デバイスから受信した通知に応答して、ＧＣ-ＰＤＣＣＨを介して１つ前のスロットにおけるデータに関する制御情報受信することができる。つまり、ネットワーク側デバイスは１つ前のスロットで１つ前のスロットにおけるデータに関する制御情報を送信しなかったと、現在スロットにおけるＧＣ-ＰＤＣＣＨを介して１つ前のスロットにおけるデータに関する制御情報を送信し、電子機器１１００に通知を送信することで、電子機器１１００は、このような通知に応答し、現在のスロットのＧＣ-ＰＤＣＣＨを介して１つ前のスロットにおけるデータに関する制御情報を受信してもよい。さらに、電子機器１１００は、ライセンススペクトルを介してネットワーク側デバイスからこのような通知を受信してもよい。例えば、電子機器１１００は、上位層シグナリング（ＲＲＣシグナリングを含むがそれに限定されない）又は低層シグナリングを介して（物理層シグナリングを含むがそれに限定されない）、ライセンススペクトルによりネットワーク側デバイスからこのような通知を受信してもよい。
【０１５９】
図１５は、本開示の実施例による、ユーザー機器が次のスロットでＧＣ-ＰＤＣＣＨを受信するようにユーザー機器に通知を送信することを示すシグナリングインタラクション図である。図１５に示すように、ステップＳ１５０１において、基地局は、１つ前のスロットにおけるデータをＵＥに送信し、ＵＥは１つ前のスロットにおけるデータを受信して記憶する。次に、ステップＳ１５０２において、基地局はＵＥに通知を送信して、ＵＥに対して１つ前のスロットの次のスロットでＧＣ-ＰＤＣＣＨを受信することを通知する。ここで、ステップＳ１５０１とステップＳ１５０２とは位置を交換することができ、即ち、基地局は、１つ前のスロットの制御データが送信されていないことを発見すれば、ＵＥに通知を送信することができる。次に、ステップＳ１５０３において、基地局は、現在のスロットＧＣ-ＰＤＣＣＨを介して１つ前のスロットにおけるデータに関する制御情報をキャリアーする。次に、ステップＳ１５０４において、ＵＥは、ＧＣ-ＰＤＣＣＨを復調することで、１つ前のスロットにおけるデータに関する制御情報を取得する。次に、ステップＳ１５０５において、ＵＥは、制御情報に応じて１つ前のスロットにおけるデータを復調する。
【０１６０】
本開示の実施例によれば、電子機器１１００は、１つ前のスロットでＧＣ-ＰＤＣＣＨを受信せず、１つ前のスロットがＧＣ-ＰＤＣＣＨを送信するはず場合に、直後のスロットにおけるＧＣ-ＰＤＣＣＨを介して、１つ前のスロットにおけるデータに関する制御情報を受信することができる。つまり、電子機器１１００とネットワーク側デバイスとの間に設置されているＧＣ-ＰＤＣＣＨの送信周期に応じて、１つ前のスロットはＧＣ-ＰＤＣＣＨを送信するが、電子機器１１００は１つ前のスロットのＧＣ-ＰＤＣＣＨを受信しなった場合、電子機器１１００は、ネットワーク側デバイスは何らかの理由で１つ前のスロットのＧＣ-ＰＤＣＣＨを送信しないと確定することにより、現在のスロットでＧＣ-ＰＤＣＣＨを受信し、一時にＧＣ-ＰＤＣＣＨの送信周期によらない。この場合、電子機器１１００はネットワーク側デバイスから通知を受信する必要がない。
【０１６１】
本開示の実施例によれば、通信ユニット１１２０は、ネットワーク側デバイスから配置されている、又は再配置されているＧＣ-ＰＤＣＣＨの送信周期を受信することができる。さらに、通信ユニット１１２０は、ライセンススペクトルを介してネットワーク側デバイスから配置されている、又は再配置されているＧＣ-ＰＤＣＣＨの送信周期を受信ことができる。例えば、電子機器１１００は、上位層シグナリング（ＲＲＣシグナリングを含むがそれに限定されない）又は低層シグナリングを介して（物理層シグナリングを含むがそれに限定されない）、ライセンススペクトルにより、ネットワーク側デバイスから、配置されている、又は再配置されているＧＣ-ＰＤＣＣＨの送信周期を受信してもよい。
【０１６２】
また、復調ユニット１１１０は、ｅＰＤＣＣＨを介して受信した情報を復調することで、ｅＰＤＣＣＨが位置するスロットにおけるデータに関する制御情報を取得することができる。
【０１６３】
以上のように、本開示の実施例によれば、電子機器１１００は、ＧＣ-ＰＤＣＣＨを介して１つ前のスロットにおけるデータに関する制御情報を取得することができる。幾つかの場合に、電子機器１１００は、１つ前のスロットで当該スロットにおけるデータに関する制御情報を受信しなかったので、この部分のデータを復号化することができなくなる。これにより、リソースの浪費を招く。本開示の実施例によれば、次のスロットのＧＣ-ＰＤＣＣＨを利用して１つ前のスロットにおけるデータに関する制御情報をキャリアーすることができる。よって、電子機器１１００は、１つ前のスロットにおけるデータを復号化し、チャネルの利用率を向上させるすることができる。
【０１６４】
このように、本開示の実施例による電子機器１１００は、ＧＣ-ＰＤＣＣＨを介して、アンライセンススペクトルに対するダウンリンク伝送終了位置の情報、ダウンリンク伝送のＭＣＯＴの長さと時間領域位置情報、ＣＯＴユニット内でアップリンク伝送を行う前にチャネル検出プロセスの実行が要否に関する情報、チャネル検出プロセスのパラメーター情報、及びＧＣ-ＰＤＣＣＨが位置するスロットの１つ前のスロットにおけるデータに関する制御情報の一つまたは複数を受信し復調することができる。ＰＤＣＣＨ公衆サーチエリアでの情報について、ユーザー機器は、二種のアグリゲーションレベルでブラインド検出を試みる必要があり、ＧＣ-ＰＤＣＣＨに一種のアグリゲーションレベルのサーチスペースのみを含むので、ユーザー機器のブラインド検出作業負荷を削減させる。さらに、ＰＤＣＣＨ固有サーチエリアを介して上記の情報をキャリアーすることよりも、ＧＣ-ＰＤＣＣＨを介して上記の情報をキャリアーすることで、電子機器１１００は上記情報を早く取得することができる。よって、アップリンクフィードバック又はアップリンクデータ送信によく準備する。このように、本開示は、ＮＲ通信システムの特性に応じてＧＣ-ＰＤＣＣＨをより合理的に設計する。
【０１６５】
<３.６  ダウンリンク伝送開始位置を受信する>
本開示の実施例によれば、通信ユニット１１２０は、アンライセンススペクトルに対するダウンリンク伝送の開始位置の情報を受信することができ、復調ユニット１１１０は、受信したアンライセンススペクトルに対するダウンリンク伝送の開始位置の情報を復調することでアンライセンススペクトルに対するダウンリンク伝送の開始位置を取得することができる。
【０１６６】
本開示の実施例によれば、電子機器１１００は、上位層シグナリングを介して、ＲＲＣシグナリングを含むがそれに限定されず、アンライセンススペクトルに対するダウンリンク伝送の開始位置の情報を受信することができる。
【０１６７】
本開示の実施例によれば、復調ユニット１１１０は、受信したアンライセンススペクトルに対するダウンリンク伝送の開始位置の情報を復調することで、ダウンリンク伝送の開始位置に対応するサブフレームの指示情報、ダウンリンク伝送の開始位置に対応するスロットの指示情報、ダウンリンク伝送の開始位置に対応するＯＦＤＭシンボルの指示情報の一つまたは複数を取得することができる。
【０１６８】
本開示の実施例によれば、復調ユニット１１１０は、１つ又は複数のアンライセンススペクトルに対するダウンリンク伝送の開始位置を取得することができる。
【０１６９】
本開示の実施例によれば、ダウンリンク伝送のＭＣＯＴに含まれるＯＦＤＭシンボルの長さが小さいほど、即ち、サブキャリア間隔が大きいほど、復調ユニット１１１０が取得したアンライセンススペクトルに対するダウンリンク伝送の開始位置は多くなる。
【０１７０】
本開示の実施例によれば、復調ユニット１１１０は、ダウンリンク伝送の開始位置に対応するＯＦＤＭシンボルの指示情報を取得することができる。具体的に、当該指示情報はサブフレームにおけるＯＦＤＭシンボルのインデックスを含んでもよい。例えば、１つのサブフレーム内のＯＦＤＭシンボルは、時間領域の順序でソーティングされ番号付けされてもよい。復調ユニット１１１０は、サブフレームにおけるダウンリンク伝送の開始位置に対応するＯＦＤＭシンボルのインデックスを取得した後、当該インデックスに応じて、サブフレームにおけるダウンリンク伝送の開始位置に対応するＯＦＤＭシンボルの位置を確定してもよい。
【０１７１】
本開示の実施例によれば、復調ユニット１１１０は、ダウンリンク伝送の開始位置に対応するスロットの指示情報、及び当該ダウンリンク伝送の開始位置に対応するＯＦＤＭシンボルの指示情報を取得することができる。具体的に、当該指示情報は、ダウンリンク伝送の開始位置に対応するサブフレームにおけるダウンリンク伝送の開始位置に対応するスロットのインデックス、及びダウンリンク伝送の開始位置に対応するスロットにおけるダウンリンク伝送の開始位置に対応するＯＦＤＭシンボルのインデックスを含んでもよい。例えば、１つのサブフレーム内のスロットは、時間領域の順序でソーティングされ番号付けされてもよく、復調ユニット１１１０は、ダウンリンク伝送の開始位置に対応するサブフレームにおけるスロットのインデックスを取得した後、当該インデックスに応じて、サブフレームにおけるダウンリンク伝送の開始位置に対応するスロットの位置を確定してもよい。また、１つのスロット内のＯＦＤＭシンボルは、時間領域の順序でソーティングされ番号付けされてもよく、復調ユニット１１１０は、ダウンリンク伝送の開始位置に対応するスロットにおけるＯＦＤＭシンボルのインデックスを取得した後、当該インデックスに応じて、ダウンリンク伝送の開始位置に対応するスロットにおけるダウンリンク伝送の開始位置に対応するＯＦＤＭシンボルの位置を確定してもよい。これにより、復調ユニット１１１０は、ダウンリンク伝送の開始位置に対応するスロットにおける、ダウンリンク伝送の開始位置に対応するスロットの位置、及びダウンリンク伝送の開始位置に対応するＯＦＤＭシンボルの位置を確定することができる。
【０１７２】
本開示の実施例によれば、復調ユニット１１１０は、アンライセンススペクトルに対するダウンリンク伝送の開始位置の種類の情報を取得することができ、例えば種類のインデックスを取得する。さらに、復調ユニット１１１０は、インデックスに応じて、ダウンリンク伝送の開始位置が、サブフレームの境界位置、スロットの境界位置、及びスロットの中間位置の１つまたは複数に位置するかを確定することができる。具体的に、復調ユニット１１１０は、ダウンリンク伝送の開始位置がサブフレームの境界位置、スロットの境界位置、サブフレームの境界位置又はスロットの境界位置、スロットの境界位置又はスロットの中間位置、それとも、サブフレームの境界位置又はスロットの境界位置又はスロットの中間位置に位置することを確定してもよい。
【０１７３】
以上のように、本開示の実施例による電子機器１１００は、例えば、上位層シグナリングを介してアンライセンススペクトルに対するダウンリンク伝送の開始位置を取得することができる。このようにして、ＬＴＥ  ＬＡＡ（Ｌｉｃｅｎｓｅｄ  Ａｓｓｉｓｔｅｄ  Ａｃｃｅｓｓ、ライセンスアシストアクセス）システムに比べて、ＮＲ通信システムにおいて、アンライセンスバンドはより多くのダウンリンク伝送機会があり、アンライセンススペクトルの利用効率が向上される。
【０１７４】
本開示の実施例による電子機器１００はネットワーク側デバイスとし、電子機器１１００はユーザー機器とすることができ、即ち、電子機器１００は電子機器１１００にサービスを提供することができるので、ここで、以上で記載された電子機器１００に関する全ての実施例は適用され得る。
【０１７５】
<４.  方法実施例>
次に、本開示の実施例による無線通信システムにおけるネットワーク側デバイスとしての電子機器１００によって実行される無線通信方法について詳細に記載する。
【０１７６】
図１６は、本開示の実施例による、無線通信システムにおけるネットワーク側デバイスとしての電子機器１００によって実行される無線通信方法を示すフローチャートである。
【０１７７】
図１６に示すように、ステップＳ１６１０において、グループ共通物理ダウンリンク制御チャネルＧＣ-ＰＤＣＣＨを介して、アンライセンススペクトルに対するダウンリンク伝送終了位置の情報を伝送する。
【０１７８】
好ましく、方法は、当該ＧＣ-ＰＤＣＣＨを介してをダウンリンク伝送終了位置が位置するスロットのスロットフォーマット情報ＳＦＩを伝送するこをさらに含む。
【０１７９】
好ましく、方法は、物理ダウンリンク制御チャネルＰＤＣＣＨを介してアンライセンススペクトルに対するダウンリンク伝送終了位置の情報を伝送することをさらに含む。
【０１８０】
好ましく、方法は、ダウンリンク伝送終了位置の前のＮ番目のスロットにおけるＧＣ-ＰＤＣＣＨを介してダウンリンク伝送終了位置を伝送するをさらに含み、なお、Ｎは非負の整数である。
【０１８１】
好ましく、方法は、Ｎ＝０の場合、ダウンリンク伝送終了位置が位置するスロットにおけるＧＣ-ＰＤＣＣＨを介して、ダウンリンク伝送終了位置を伝送することをさらに含む。
【０１８２】
好ましく、方法は、ダウンリンク伝送の最大チャネル占用時間ＭＣＯＴの長さ、ＧＣ-ＰＤＣＣＨの送信周期、及びダウンリンク伝送のＭＣＯＴ内のＯＦＤＭシンボルの長さの一つまたは複数に応じて、Ｎの値を確定することをさらに含む。
【０１８３】
好ましく、方法は、ＧＣ-ＰＤＣＣＨを介して、ダウンリンク伝送の最大チャネル占用時間ＭＣＯＴの長さと時間領域位置を伝送することをさらに含み、ＭＣＯＴは１つ又は複数のスロットを含む。
【０１８４】
好ましく、方法は、ＭＣＯＴの各スロットに含まれるアップリンク伝送とダウンリンク伝送との間スイッチングポイントの数２以下であり、及び／又はＭＣＯＴに含まれるアップリンク伝送とダウンリンク伝送との間のスイッチングポイントの数は所定の閾値以下であるように、スロットフォーマット情報ＳＦＩを配置することをさらに含む。
【０１８５】
好ましく、方法は、ＧＣ-ＰＤＣＣＨを介して、ＭＣＯＴのスロット内でアップリンク伝送を行う前にチャネル検出プロセスの実行が要否に関する情報を伝送することをさらに含む。
【０１８６】
好ましく、方法は、物理ダウンリンク制御チャネルＰＤＣＣＨを介して、ＭＣＯＴのスロット内でアップリンク伝送を行う前にチャネル検出プロセスの実行が要否に関する情報を伝送することをさらに含む。
【０１８７】
好ましく、方法は、ＧＣ-ＰＤＣＣＨを介して、ＭＣＯＴのスロット内でアップリンク伝送を行う前に実行されるチャネル検出プロセスに関するパラメーター情報を伝送することをさらに含む。
【０１８８】
好ましく、方法は、アンライセンススペクトルに対するダウンリンク伝送の開始位置の情報を配置し、アンライセンススペクトルに対するダウンリンク伝送の開始位置の情報を送信することをさらに含む。
【０１８９】
好ましく、方法は、上位層シグナリングを介して、アンライセンススペクトルに対するダウンリンク伝送の開始位置の情報キャリアーすることをさらに含む。
【０１９０】
好ましく、アンライセンススペクトルに対するダウンリンク伝送の開始位置の情報は、当該ダウンリンク伝送の開始位置に対応するサブフレームの指示情報、当該ダウンリンク伝送の開始位置に対応するスロットの指示情報、及び当該ダウンリンク伝送の開始位置に対応するＯＦＤＭシンボルの指示情報の一つまたは複数を含む。
【０１９１】
好ましく、アンライセンススペクトルに対するダウンリンク伝送の開始位置の情報には１つ又は複数の開始位置を含む。
【０１９２】
好ましく、方法は、ダウンリンク伝送のＭＣＯＴに含まれるＯＦＤＭシンボルの長さ（又は、サブキャリア間隔の大きさ）に応じて、アンライセンススペクトルに対するダウンリンク伝送の開始位置の情報を配置することをさらに含む。
【０１９３】
好ましく、方法は、ＭＣＯＴに含まれるＯＦＤＭシンボルの長さが小さいほど、即ち、サブキャリア間隔が大きいほど、アンライセンススペクトルに対するダウンリンク伝送の開始位置を多く配置することをさらに含む。
【０１９４】
好ましく、アンライセンススペクトルに対するダウンリンク伝送の開始位置の情報は、当該ダウンリンク伝送の開始位置に対応するＯＦＤＭシンボルの指示情報を含む。具体的に、当該指示情報はサブフレームにおけるＯＦＤＭシンボルのインデックスを含んでもよい。
【０１９５】
好ましく、アンライセンススペクトルに対するダウンリンク伝送の開始位置は、１つのスロットの開始位置及び中間位置に位置する。
【０１９６】
好ましく、アンライセンススペクトルに対するダウンリンク伝送の開始位置の情報は、当該ダウンリンク伝送の開始位置に対応するスロットの指示情報、及び当該ダウンリンク伝送の開始位置に対応するＯＦＤＭシンボルの指示情報を含む。具体的に、当該指示情報は、サブフレームにおけるスロットのインデックス、及びスロットにおけるＯＦＤＭシンボルのインデックスを含んでもよい。
【０１９７】
好ましく、アンライセンススペクトルに対するダウンリンク伝送の開始位置は、サブフレームの境界位置、スロットの境界位置、及びスロットの中間位置一つまたは複数を含んでもよい。
【０１９８】
好ましく、アンライセンススペクトルに対するダウンリンク伝送の開始位置は開始位置の種類を指示する情報を含んでもよく、開始位置の種類は、サブフレームの境界位置、スロットの境界位置、サブフレームの境界位置又はスロットの境界位置、スロットの境界位置又はスロットの中間位置、及びサブフレームの境界位置又はスロットの境界位置又はスロットの中間位置を含む。
【０１９９】
本開示の実施例によれば、上記の方法を実行する本体は本開示の実施例による電子機器１００であってもよいので、ここで以上の電子機器１００に関する全ての実施例は適用され得る。
【０２００】
図１７は、本開示の他の実施例による、無線通信システムにおけるネットワーク側デバイスとしての電子機器１００によって実行される無線通信方法を示すフローチャートである。
【０２０１】
図１７に示すように、ステップＳ１７１０において、グループ共通物理ダウンリンク制御チャネルＧＣ-ＰＤＣＣＨを介して、ＧＣ-ＰＤＣＣＨが位置するスロットの１つ前のスロットにおけるデータに関する制御情報を伝送する。
【０２０２】
好ましく、制御情報はデータの変調及び符号化スキームＭＣＳレベル、及びデータのスロットフォーマット情報ＳＦＩの少なくとも一つを指示するために用いられる。
【０２０３】
好ましく、方法は、デフォルトのスロットフォーマット情報ＳＦＩに応じて、ＧＣ-ＰＤＣＣＨが位置するスロットの１つ前のスロットにおけるデータを送信することをさらに含む。
【０２０４】
好ましく、方法は、１つ前のスロットで１つ前のスロットにおけるデータに関する制御情報を送信しなかった場合に、ＧＣ-ＰＤＣＣＨを介して、１つ前のスロットにおけるデータに関する制御情報を伝送することをさらに含む。
【０２０５】
好ましく、方法は、ユーザー機器がＧＣ-ＰＤＣＣＨを介して１つ前のスロットにおけるデータに関する制御情報を受信するように、ユーザー機器に通知を送信することをさらに含む。
【０２０６】
好ましく、方法は、ライセンススペクトルを介してユーザー機器に前記通知を送信することをさらに含む。
【０２０７】
好ましく、方法は、ユーザー機器にＧＣ-ＰＤＣＣＨの送信周期再配置することをさらに含む。
【０２０８】
好ましく、方法は、ライセンススペクトルを介してユーザー機器に再配置されたＧＣ-ＰＤＣＣＨの送信周期を送信することをさらに含む。
【０２０９】
本開示の実施例によれば、上記の方法を実行する本体は本開示の実施例による電子機器１００であってもよいので、ここで以上の電子機器１００に関する全ての実施例は適用され得る。
【０２１０】
次に、本開示の実施例による無線通信システムにおけるユーザー機器としての電子機器１１００によって実行される無線通信方法について詳細に記載する。
【０２１１】
図１８は、本開示の実施例による、無線通信システムにおけるユーザー機器としての電子機器１１００によって実行される無線通信方法を示すフローチャートである。
【０２１２】
図１８に示すように、ステップＳ１８１０において、グループ共通物理ダウンリンク制御チャネルＧＣ-ＰＤＣＣＨを介して、情報を受信する。
【０２１３】
次に、ステップＳ１８２０において、ＧＣ-ＰＤＣＣＨを介して受信した情報を復調することで、アンライセンススペクトルに対するダウンリンク伝送終了位置を取得する。
【０２１４】
好ましく、方法は、ＧＣ-ＰＤＣＣＨを介して受信した情報を復調することで、ダウンリンク伝送終了位置が位置するスロットのスロットフォーマット情報ＳＦＩを取得することをさらに含む。
【０２１５】
好ましく、方法は、物理ダウンリンク制御チャネルＰＤＣＣＨを介して情報を受信し、ＰＤＣＣＨを介して受信した情報を復調することで、アンライセンススペクトルに対するダウンリンク伝送終了位置を取得することをさらに含む。
【０２１６】
好ましく、方法は、ＧＣ-ＰＤＣＣＨを介して受信した情報を復調することで取得したアンライセンススペクトルに対するダウンリンク伝送終了位置が、ＰＤＣＣＨを介して受信した情報を復調することで取得したアンライセンススペクトルに対するダウンリンク伝送終了位置と衝突した場合に、ＰＤＣＣＨを介して受信した情報を復調することで取得したアンライセンススペクトルに対するダウンリンク伝送終了位置が優先されることをさらに含む。
【０２１７】
好ましく、方法は、ＧＣ-ＰＤＣＣＨを介して受信した情報を復調することで、ダウンリンク伝送の最大チャネル占用時間ＭＣＯＴの長さと時間領域位置を取得することをさらに含み、ＭＣＯＴは１つ又は複数のスロットを含む。
【０２１８】
好ましく、方法は、ＧＣ-ＰＤＣＣＨを介して受信した情報を復調することで、ＭＣＯＴのスロット内でアップリンク伝送を行う前にチャネル検出プロセスの実行が要否を確定することをさらに含む。
【０２１９】
好ましく、方法は、物理ダウンリンク制御チャネルＰＤＣＣＨを介して情報を受信し、ＰＤＣＣＨを介して受信した情報を復調することで、ＭＣＯＴのスロット内でアップリンク伝送を行う前にチャネル検出プロセスの実行が要否を確定することをさらに含む。
【０２２０】
好ましく、方法は、ＧＣ-ＰＤＣＣＨを介して受信した情報を復調することで確定された、ＭＣＯＴのスロット内でアップリンク伝送を行う前にチャネル検出プロセスの実行要否と、ＰＤＣＣＨを介して受信した情報を復調することで確定された、ＭＣＯＴのスロット内でアップリンク伝送を行う前にチャネル検出プロセスの実行要否とが衝突している場合に、ＰＤＣＣＨを介して受信した情報を復調することで確定された前記ＭＣＯＴのスロット内でアップリンク伝送を行う前にチャネル検出プロセスの実行要否に基づくことをさらに含む。
【０２２１】
好ましく、方法は、ＧＣ-ＰＤＣＣＨを介して受信した情報を復調することで、ＭＣＯＴのスロット内でアップリンク伝送を行う前に実行されたチャネル検出プロセスのパラメーターを取得することをさらに含む。
【０２２２】
好ましく、方法は、アンライセンススペクトルに対するダウンリンク伝送の開始位置の情報を受信し、受信したアンライセンススペクトルに対するダウンリンク伝送の開始位置の情報を復調することで、アンライセンススペクトルに対するダウンリンク伝送の開始位置を取得することをさらに含む。
【０２２３】
好ましく、上位層シグナリングにより、アンライセンススペクトルに対するダウンリンク伝送の開始位置の情報を受信する。
【０２２４】
好ましく、方法は、受信したアンライセンススペクトルに対するダウンリンク伝送の開始位置の情報を復調することで、ダウンリンク伝送の開始位置に対応するサブフレームの指示情報、ダウンリンク伝送の開始位置に対応するスロットの指示情報、及びダウンリンク伝送の開始位置に対応するＯＦＤＭシンボルの指示情報の一つまたは複数を取得することをさらに含む。
【０２２５】
好ましく、方法は、取得したアンライセンススペクトルに対するダウンリンク伝送の開始位置は１つ又は複数のアンライセンススペクトルに対するダウンリンク伝送の開始位置を含むことをさらに含む。
【０２２６】
好ましく、ダウンリンク伝送のＭＣＯＴに含まれるＯＦＤＭシンボルの長さが小さいほど、即ち、サブキャリア間隔が大きいほど、取得したアンライセンススペクトルに対するダウンリンク伝送の開始位置は多くなる。
【０２２７】
好ましく、方法は、ダウンリンク伝送の開始位置に対応するＯＦＤＭシンボルの指示情報を取得することをさらに含む。具体的に、当該指示情報は、サブフレームにおけるＯＦＤＭシンボルのインデックスを含む。
【０２２８】
好ましく、方法は、サブフレームにおけるＯＦＤＭシンボルのインデックスに応じて、サブフレームにおけるダウンリンク伝送の開始位置に対応するＯＦＤＭシンボルの位置を確定することをさらに含む。
【０２２９】
好ましく、方法は、ダウンリンク伝送の開始位置に対応するスロットの指示情報、及び当該ダウンリンク伝送の開始位置に対応するＯＦＤＭシンボルの指示情報を取得することをさらに含む。具体的に、当該指示情報は、ダウンリンク伝送の開始位置に対応するサブフレームにおけるダウンリンク伝送の開始位置に対応するスロットインデックス、及びダウンリンク伝送の開始位置に対応するスロットにおけるダウンリンク伝送の開始位置に対応するＯＦＤＭシンボルのインデックスを含む。
【０２３０】
好ましく、方法は、ダウンリンク伝送の開始位置に対応するサブフレームにおけるスロットのインデックスに応じて、サブフレームにおけるダウンリンク伝送の開始位置に対応するスロットの位置を確定し、ダウンリンク伝送の開始位置に対応するスロットにおけるＯＦＤＭシンボルのインデックスに応じて、在ダウンリンク伝送の開始位置に対応するスロットにおけるダウンリンク伝送の開始位置に対応するＯＦＤＭシンボルの位置を確定することをさらに含む。
【０２３１】
好ましく、方法は、アンライセンススペクトルに対するダウンリンク伝送の開始位置の種類の情報を取得し、種類の情報に応じて、ダウンリンク伝送の開始位置がサブフレームの境界位置、スロットの境界位置、スロットの中間位置の１つまたは複数に位置するかを確定することをさらに含む。具体的に、方法は、種類の情報に応じて、ダウンリンク伝送の開始位置がサブフレームの境界位置、スロットの境界位置、サブフレームの境界位置又はスロットの境界位置、スロットの境界位置又はスロットの中間位置、それともサブフレームの境界位置又はスロットの境界位置又はスロットの中間位置に位置することを確定することをさらに含む。
【０２３２】
本開示の実施例によれば、上記の方法を実行する本体は本開示の実施例による電子機器１１００であってもよいので、ここで以上の電子機器１００に関する全ての実施例は適用され得る。
【０２３３】
図１９は、本開示の他の実施例による、由無線通信システムにおけるユーザー機器としての電子機器１１００によって実行される無線通信方法を示すフローチャートである。
【０２３４】
図１９に示すように、ステップＳ１９１０において、グループ共通物理ダウンリンク制御チャネルＧＣ-ＰＤＣＣＨを介して情報を受信する。
【０２３５】
次に、ステップＳ１９２０において、情報を復調することで、ＧＣ-ＰＤＣＣＨが位置するスロットの１つ前のスロットにおけるデータに関する制御情報を取得する。
【０２３６】
好ましくは、方法は、制御情報に応じて、データの変調及び符号化スキームＭＣＳレベル、及びデータのスロットフォーマット情報ＳＦＩの少なくとも一つを確定することをさらに含む。
【０２３７】
好ましくは、方法は、１つ前のスロットで受信したデータを記憶し、制御情報に応じて１つ前のスロットにおけるデータを復調することをさらに含む。
【０２３８】
好ましくは、方法は、デフォルトのスロットフォーマット情報ＳＦＩに応じて、ＧＣ-ＰＤＣＣＨが位置するスロットの１つ前のスロットにおけるデータを受信することをさらに含む。
【０２３９】
好ましくは、方法は、ネットワーク側デバイスから受信した通知に応答して、ＧＣ-ＰＤＣＣＨを介して、１つ前のスロットにおけるデータに関する制御情報を受信することをさらに含む。
【０２４０】
好ましくは、方法は、ライセンススペクトルを介して、ネットワーク側デバイスから通知を受信することをさらに含む。
【０２４１】
好ましくは、方法は、ネットワーク側デバイスから、再配置されたＧＣ-ＰＤＣＣＨの送信周期を受信することをさらに含む。
【０２４２】
好ましくは、方法は、ライセンススペクトルを介して、ネットワーク側デバイスから再配置されたＧＣ-ＰＤＣＣＨの送信周期を受信することをさらに含む。
【０２４３】
本開示の実施例によれば、上記の方法を実行する本体は本開示の実施例による電子機器１１００であってもよいので、ここで以上の電子機器１１００に関する全ての実施例は適用され得る。
【０２４４】
<５.適用例>
本開示内容の技術は、各種の製品に応用できる。
【０２４５】
ネットワーク側デバイスは、任意のタイプの基地局デバイス、例えばマクロｅＮＢとスモールｅＮＢとして実現されてもよく、任意のタイプのｇＮＢ（５Gシステムにおける基地局）として実現されてもよい。スモールｅＮＢはマクロセルよりも小さいセルをカバーするｅＮＢ、例えばピコファラドｅＮＢ、マイクロｅＮＢ、ホーム（フェムト）ｅＮＢであってもよい。代わりに、基地局は、任意の他のタイプの基地局、例えばＮｏｄｅＢとベーストランシーバ基地局（ＢＴＳ）として実現されてもよい。基地局は、無線通信を制御するように配置される本体（基地局デバイスとも称する）と、本体とは別の場所に設置された一つ又は複数のリモート無線ヘッド（ＲＲＨ）とを含んでもよい。
【０２４６】
ユーザー機器は、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されてもよい。ユーザー機器は、マシンツーマシン（Ｍ２Ｍ）通信を実行する端末（マシン型通信（ＭＴＣ）端末とも称する）として実現されてもよい。また、ユーザー機器は、上記ユーザー機器のそれぞれに取り付けられた無線通信モジュール（例えば単一のチップを含む集成回路モジュール）であってもよい。
【０２４７】
［基地局についての応用例］
（第１の適用例）
図２０は、本開示内容の技術を応用できるｅＮＢの概略的な構成の第１の例を示すブロック図である。ｅＮＢ２０００は、一つ又は複数のアンテナ２０１０及び基地局デバイス２０２０を含む。基地局デバイス２０２０と各アンテナ２０１０とはＲＦケーブルを介して互いに接続されてもよい。
【０２４８】
アンテナ２０１０の各々は、一つの又は複数のアンテナ素子（例えば、マルチ入力・マルチ出力（ＭＩＭＯ）アンテナに含まれる複数のアンテナ素子）を含み、基地局デバイス２０２０による無線信号の送受信に用いられる。ｅＮＢ２０００は、図２０に示したように複数のアンテナ２０１０を含んでもよい。複数のアンテナ２０１０は、ｅＮＢ２０００が使用する複数の周波数帯域と共用してもよい。ここで、図２０にはｅＮＢ２０００が複数のアンテナ２０１０を含む例を示したが、ｅＮＢ２０００は一つのアンテナ２０１０を含んでもよい。
【０２４９】
基地局デバイス２０２０は、コントローラー２０２１、メモリ２０２２、ネットワークインタフェース２０２３、及び無線通信インタフェース２０２５を含む。
【０２５０】
コントローラー２０２１は、例えばＣＰＵ又はＤＳＰであってよく、基地局デバイス２０２０の上位層の様々な機能を操作する。例えば、コントローラー２０２１は、無線通信インタフェース２０２５により処理された信号におけるデータからデータパケットを生成し、生成されたパケットをネットワークインタフェース２０２３を介して転送する。コントローラー２０２１は、複数のベースバンドプロセッサーからのデータをバンドルすることによりバンドルドパケットを生成し、生成されたバンドルドパケットを転送してもよい。また、コントローラー２０２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ２０２２は、ＲＡＭ及びＲＯＭを含み、コントローラー２０２１により実行されるプログラム、及び様々な制御データ（例えば、端末リスト、伝送パワーデータ及びスケジューリングデータなど）を記憶する。
【０２５１】
ネットワークインタフェース２０２３は基地局デバイス２０２０をコアネットワーク２０２４に接続するための通信インタフェースである。コントローラー２０２１はネットワークインタフェース２０２３を介してコアネットワークノード又は他のｅＮＢと通信してもよい。この場合、ｅＮＢ２０００とコアネットワークノード又は他のｅＮＢとはロジックインタフェース（例えばＳ１インタフェースとＸ２インタフェース）により互いに接続される。ネットワークインタフェース２０２３は有線通信インタフェース、又は無線バックホール回線に用いられる無線通信インタフェースであってもよい。ネットワークインタフェース２０２３が無線通信インタフェースであると、ネットワークインタフェース２０２３は無線通信インタフェース２０２５により使用される周波数帯域よりも高い周波数帯域を無線通信に使用できる。
【０２５２】
無線通信インタフェース２０２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ２０１０を介して、ｅＮＢ２０００のセル内に位置する端末までの無線接続を提供する。無線通信インタフェース２０２５は、一般的に、ベースバンド（ＢＢ）プロセッサー２０２６及びＲＦ回路２０２７を含むことができる。ＢＢプロセッサー２０２６は、例えば、符号化／復号化、変調／復調及び多重化／逆多重化を実行でき、層（例えばＬ１、媒体アクセス制御（ＭＡＣ）、無線リンク制御（ＲＬＣ）、パケットデータ収束プロトコル（ＰＤＣＰ））のさまざまな信号処理を実行することができる。コントローラー２０２１の代わりに、ＢＢプロセッサー２０２６は上記ロジック機能の一部又は全部を有してもよい。ＢＢプロセッサー２０２６は通信制御プログラムを記憶するメモリであってもよく、又はプログラムを実行するように配置されるプロセッサー及び関連する回路を含むモジュールであってもよい。ＢＢプロセッサー２０２６の機能はプログラムの更新により変更可能である。当該モジュールは基地局デバイス２０２０のスロットに挿入されるカードまたはブレードであってもよい。その代わりに、当該モジュールはカード又はブレードに搭載されるチップであってもよい。一方、ＲＦ回路２０２７は例えばミキサ、フィルタ及びアンプを含んでもよく、アンテナ２０１０を介して無線信号を送受信する。
【０２５３】
図２０に示すように、無線通信インタフェース２０２５は複数のＢＢプロセッサー２０２６を含んでもよい。例えば、複数のＢＢプロセッサー２０２６はｅＮＢ２０００が使用する複数の周波数帯域と共用されてもよい。図２０に示すように、無線通信インタフェース２０２５は複数のＲＦ回路２０２７を含んでもよい。例えば、複数のＲＦ回路２０２７は複数のアンテナ素子と共用されてもよい。図２０は無線通信インタフェース２０２５が複数のＢＢプロセッサー２０２６と複数のＲＦ回路２０２７とを含む例を示したが、無線通信インタフェース２０２５は一つのＢＢプロセッサー２０２６又は一つのＲＦ回路２０２７を含んでもよい。
【０２５４】
（第２の適用例）
図２１は、本開示内容の技術を応用できるｅＮＢの概略的な構成の第２の例を示すブロック図である。ｅＮＢ２１３０は一つ又複数のアンテナ２１４０と、基地局デバイス２１５０と、ＲＲＨ２１６０とを含む。ＲＲＨ２１６０は各アンテナ２１４０とＲＦケーブルを介して互いに接続されてもよい。基地局デバイス２１５０とＲＲＨ２１６０は例えば光ファイバケーブルの高速回線で互いに接続されてもよい。
【０２５５】
アンテナ２１４０の各々は、一つの又は複数のアンテナ素子（例えば、ＭＩＭＯアンテナに含まれる複数のアンテナ素子）を含み、ＲＲＨ２１６０による無線信号の送受信のために用いられる。図２１に示すように、ｅＮＢ２１３０は複数のアンテナ２１４０を含んでもよい。例えば、複数のアンテナ２１４０はｅＮＢ２１３０が使用する複数の周波数帯域と共用されてもよい。図２１はｅＮＢ２１３０が複数のアンテナ２１４０を含む例を示したが、ｅＮＢ２１３０は一つのアンテナ２１４０を含んでもよい。
【０２５６】
基地局デバイス２１５０は、コントローラー２１５１、メモリ２１５２、ネットワークインタフェース２１５３、無線通信インタフェース２１５５、及び接続インタフェース２１５７を含む。コントローラー２１５１、メモリ２１５２、及びネットワークインタフェース２１５３は図２０を参考して記載されたコントローラー２０２１、メモリ２０２２、及びネットワークインタフェース２０２３と同じである。
【０２５７】
無線通信インタフェース２１５５は任意のセルラー通信方式（例えばＬＴＥ、ＬＴＥ−Ａｄｖａｎｃｅｄ）をサポートし、ＲＲＨ２１６０とアンテナ２１４０とを介してＲＲＨ２１６０に対応するセクタ内に位置する端末までの無線通信を提供する。無線通信インタフェース２１５５は、一般的に、例えばＢＢプロセッサー２１５６を含んでもよい。ＢＢプロセッサー２１５６が接続インタフェース２１５７を介してＲＲＨ２１６０のＲＦ回路２１６４と接続される他、ＢＢプロセッサー２１５６は図２０を参考して記載されたＢＢプロセッサー２０２６と同じである。図２１に示すように、無線通信インタフェース２１５５は複数のＢＢプロセッサー２１５６を含んでもよい。例えば、複数のＢＢプロセッサー２１５６はｅＮＢ２１３０が使用する複数の周波数帯域と共用されてもよい。図２１は無線通信インタフェース２１５５が複数のＢＢプロセッサー２１５６を含む例を示したが、無線通信インタフェース２１５５は一つのＢＢプロセッサー２１５６を含んでもよい。
【０２５８】
接続インタフェース２１５７は基地局デバイス２１５０（無線通信インタフェース２１５５）をＲＲＨ２１６０に接続するためのインタフェースである。接続インタフェース２１５７は基地局デバイス２１５０（無線通信インタフェース２１５５）をＲＲＨ２１６０と接続する上記高速回線での通信のための通信モジュールであってもよい。
【０２５９】
ＲＲＨ２１６０は接続インタフェース２１６１と無線通信インタフェース２１６３とを含む。
【０２６０】
接続インタフェース２１６１はＲＲＨ２１６０（無線通信インタフェース２１６３）を基地局デバイス２１５０に接続するためのインタフェースである。接続インタフェース２１６１は上記高速回線での通信のための通信モジュールであってもよい。
【０２６１】
無線通信インタフェース２１６３は、アンテナ２１４０を介して無線信号を送受信する。無線通信インタフェース２１６３は、一般的に、例えばＲＦ回路２１６４を含んでもよい。ＲＦ回路２１６４は、例えばミキサ、フィルタ及びアンプなどを含んでもよく、アンテナ２１４０を介して無線信号を送受信する。図２１に示すように、無線通信インタフェース２１６３は複数のＲＦ回路２１６４を含んでもよい。例えば、複数のＲＦ回路２１６４は複数のアンテナ素子をサポートしてもよい。図２１は無線通信インタフェース２１６３が複数のＲＦ回路２１６４を含む例を示したが、無線通信インタフェース２１６３は一つのＲＦ回路２１６４を含んでもよい。
【０２６２】
図２０及び図２１に示されたｅＮＢ２０００及びｅＮＢ２１３０において、図１に記載された配置ユニット１１０はコントローラー２０２１及び／又はコントローラー２１５１により実現されてもよい。機能の少なくとも一部はコントローラー２０２１及びコントローラー２１５１により実現されてもよい。例えば、コントローラー２０２１及び／又はコントローラー２１５１は、相応するメモリに記憶されているコマンドを実行することでＧＣ-ＰＤＣＣＨ及びＰＤＣＣＨの配置の機能を実行する。
【０２６３】
［端末装置についての適用例］
（第１の適用例）
図２２は本開示内容の技術を応用できるスマートフォン２２００の概略的な構成の一例を示すブロック図である。スマートフォン２２００は、プロセッサー２２０１、メモリ２２０２、記憶装置２２０３、外部接続インタフェース２２０４、撮像装置２２０６、センサー２２０７、マイクロフォン２２０８、入力装置２２０９、表示装置２２１０、スピーカ２２１１、無線通信インタフェース２２１２、一つ又は複数のアンテナスイッチ２２１５、一つ又は複数のアンテナ２２１６、バス２２１７、バッテリー２２１８、及び補助コントローラー２２１９を含む。
【０２６４】
プロセッサー２２０１は例えばＣＰＵ又はＳｏＣ（Ｓｙｓｔｅｍ  ｏｎ  Ｃｈｉｐ）であってもよく、スマートフォン２２００のアプリケーションレイヤ及びその他の層の機能を制御する。メモリ２２０２はＲＡＭとＲＯＭを含み、データと、プロセッサー２２０１により実行されるプログラムを記憶する。記憶装置２２０３は記憶媒体、例えば半導体メモリ又はハードディスクを含んでもよい。外部接続インタフェース２２０４は、外部装置（例えばメモリーカード又はＵＳＢ（Ｕｎｉｖｅｒｓａｌ  Ｓｅｒｉａｌ  Ｂｕｓ）デバイス）をスマートフォン２２００に接続するためのインタフェースである。
【０２６５】
撮像装置２２０６は画像センサー（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、キャプチャ画像を生成する。センサー２２０７は例えば、測定センサー、ジャイロセンサー、地磁気センサー及び加速度センサーなどのセンサー群を含んでもよい。マイクロフォン２２０８はスマートフォン２２００に入力される音声を音声信号に変換する。入力装置２２０９は例えば表示装置２２１０のスクリーン上のタッチを検出するように配置されるタッチセンサー、キーパッド、キーボード、ボタン又はスイッチを含み、ユーザーから入力される操作又は情報を受信する。表示装置２２１０はスクリーン（例えば液晶ディスプレイ（ＬＣＤ）、有機発光ダイオード（ＯＬＥＤ）ディスプレイ）を含み、スマートフォン２２００の出力画像を表示する。スピーカ２２１１はスマートフォン２２００から出力される音声信号を音声に変換する。
【０２６６】
無線通信インタフェース２２１２は任意のセルラー通信方式（例えばＬＴＥ、ＬＴＥ−Ａｄｖａｎｃｅｄ）をサポートし、無線通信を実行する。無線通信インタフェース２２１２は、一般的に、例えばＢＢプロセッサー２２１３とＲＦ回路２２１４とを含んでもよい。ＢＢプロセッサー２２１３は例えば符号化／復号化、変調／復調及び多重化／逆多重化を実行してもよく、無線通信のための様々なタイプの信号処理を実行する。一方、ＲＦ回路２２１４は例えばミキサ、フィルタ及びアンプを含んでもよく、アンテナ２２１６を介して無線信号を送受信する。無線通信インタフェース２２１２はＢＢプロセッサー２２１３とＲＦ回路２２１４を集積したワンチップのモジュールであってもよい。図２２に示すように、無線通信インタフェース２２１２は複数のＢＢプロセッサー２２１３と複数のＲＦ回路２２１４を含んでもよい。図２２は無線通信インタフェース２２１２が複数のＢＢプロセッサー２２１３と複数のＲＦ回路２２１４を含む例を示したが、無線通信インタフェース２２１２は一つのＢＢプロセッサー２２１３又は一つのＲＦ回路２２１４を含んでもよい。
【０２６７】
また、セルラー通信方式を除き、無線通信インタフェース２２１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよい。この場合、無線通信インタフェース２２１２は無線通信方式ごとのＢＢプロセッサー２２１３とＲＦ回路２２１４を含んでもよい。
【０２６８】
アンテナスイッチ２２１５のそれぞれは、無線通信インタフェース２２１２に含まれる複数の回路（例えば、異なる無線通信方式のための回路）の間でアンテナ２２１６の接続先をハンドオーバーする。
【０２６９】
アンテナ２２１６のそれぞれは一つの又は複数のアンテナ素子（例えば、ＭＩＭＯアンテナに含まれる複数のアンテナ素子）を含み、無線通信インタフェース２２１２による無線信号の送受信のために用いられる。図２２に示すように、スマートフォン２２００は複数のアンテナ２２１６を含んでもよい。図２２はスマートフォン２２００が複数のアンテナ２２１６を含む例を示したが、スマートフォン２２００は一つのアンテナ２２１６を含んでもよい。
【０２７０】
また、スマートフォン２２００は無線通信方式ごとのアンテナ２２１６を含んでもよい。この場合、アンテナスイッチ２２１５はスマートフォン２２００の構成から省略されてもよい。
【０２７１】
バス２２１７は、プロセッサー２２０１、メモリ２２０２、記憶装置２２０３、外部接続インタフェース２２０４、撮像装置２２０６、センサー２２０７、マイクロフォン２２０８、入力装置２２０９、表示装置２２１０、スピーカ２２１１、無線通信インタフェース２２１２及び補助コントローラー２２１９を互いに接続する。バッテリー２２１８は図示した部分的に破線で示したフィーダー線を介して図２２に示すスマートフォン２２００の各ブロックにパワーを供給する。補助コントローラー２２１９は例えば、スリープモードにおいて、スマートフォン２２００の必要最低限の機能を動作させる。
【０２７２】
図２２に示すスマートフォン２２００において、図１１に記載された復調ユニット１１１０はプロセッサー２２０１又は補助コントローラー２２１９により実現されてもよい。機能の少なくとも一部はプロセッサー２２０１又は補助コントローラー２２１９により実現されてもよい。例えば、プロセッサー２２０１又は補助コントローラー２２１９は、メモリ２２０２又は記憶装置装置２２０３に記憶されているコマンドを実行することで、ダウンリンク情報の復調の機能を実行する。
【０２７３】
（第２の適用例）
図２３は本開示内容の技術を応用できるカーナビゲーション装置２３２０の概略的な構成の一例を示すブロック図である。カーナビゲーション装置２３２０は、プロセッサー２３２１、メモリ２３２２、ＧＰＳ（Ｇｌｏｂａｌ  Ｐｏｓｉｔｉｏｎｉｎｇ  Ｓｙｓｔｅｍ）モジュール２３２４、センサー２３２５、データインタフェース２３２６、コンテンツプレーヤ２３２７、記憶媒体インタフェース２３２８、入力装置２３２９、表示装置２３３０、スピーカ２３３１、無線通信インタフェース２３３３、一つ又は複数のアンテナスイッチ２３３６、一つ又は複数のアンテナ２３３７及びバッテリー２３３８を含む。
【０２７４】
プロセッサー２３２１は例えばＣＰＵ又はＳｏＣであってもよく、カーナビゲーション装置２３２０のナビゲーション機能及びその他の機能を制御する。メモリ２３２２はＲＡＭとＲＯＭを含み、データと、プロセッサー２３２１により実行されるプログラムを記憶する。
【０２７５】
ＧＰＳモジュール２３２４はＧＰＳ衛星から受信されるＧＰＳ信号を用いて、カーナビゲーション装置２３２０の位置（例えば、緯度、経度及び高度）を測定する。センサー２３２５は、例えば、ジャイロセンサー、地磁気センサー及び気圧センサーのセンサー群を含んでもよい。データインタフェース２３２６は、図示しない端末を介して例えば、車載ネットワーク２３４１に接続され、車両で生成されるデータ（例えば車速データ）を取得する。
【０２７６】
コンテンツプレーヤ２３２７は記憶媒体インタフェース２３２８に挿入される記憶媒体（例えば、ＣＤ又はＤＶＤ）に記憶されているコンテンツを再生する。入力装置２３２９は例えば表示装置２３３０のスクリーン上のタッチを検出するように配置されるタッチセンサー、ボタン又はスイッチを含み、ユーザーから入力される操作又は情報を受信する。表示装置２３３０は例えばＬＣＤ又はＯＬＥＤディスプレイのスクリーンを含み、ナビゲーション機能の画像又は再生されるコンテンツを表示する。スピーカ２３３１は、ナビゲーション機能の音声又は再生されるコンテンツを出力する。
【０２７７】
無線通信インタフェース２３３３は任意のセルラー通信方式（例えばＬＴＥ、ＬＴＥ−Ａｄｖａｎｃｅｄ）をサポートし、無線通信を実行する。無線通信インタフェース２３３３は、一般的に、例えばＢＢプロセッサー２３３４とＲＦ回路２３３５とを含んでもよい。ＢＢプロセッサー２３３４は例えば符号化／復号化、変調／復調及び多重化／逆多重化を実行してもよく、無線通信のための様々なタイプの信号処理を実行する。一方、ＲＦ回路２３３５は例えばミキサ、フィルタ及びアンプを含んでもよく、アンテナ２３３７を介して無線信号を送受信する。無線通信インタフェース２３３３はＢＢプロセッサー２３３４２とＲＦ回路２３３５を集積したワンチップのモジュールであってもよい。図２３に示すように、無線通信インタフェース２３３３は複数のＢＢプロセッサー２３３４と複数のＲＦ回路２３３５を含んでもよい。図２３は無線通信インタフェース２３３３が複数のＢＢプロセッサー２３３４と複数のＲＦ回路２３３５を含む例を示したが、無線通信インタフェース２３３３は一つのＢＢプロセッサー２３３４又は一つのＲＦ回路２３３５を含んでもよい。
【０２７８】
また、セルラー通信方式に加えて、無線通信インタフェース２３３３は他の種類の無線通信方式、例えば、近距離無線通信方式、近接無線通信方式又は無線ＬＡＮ方式をサポートしてもよい。この場合、無線通信方式ごとに、無線通信インタフェース２３３３はＢＢプロセッサー２３３４とＲＦ回路２３３５を含んでもよい。
【０２７９】
アンテナスイッチ２３３６のそれぞれは、無線通信インタフェース２３３３に含まれる複数の回路（例えば、異なる無線通信方式のための回路）の間でアンテナ２３３７の接続先をハンドオーバーする。
【０２８０】
アンテナ２３３７のそれぞれは、一つ又は複数のアンテナ素子（例えば、ＭＩＭＯアンテナに含まれる複数のアンテナ素子）を含み、無線通信インタフェース２３３３による無線信号の送受信のために用いられる。図２３に示すように、カーナビゲーション装置２３２０は複数のアンテナ２３３７を含んでもよい。図２３はカーナビゲーション装置２３２０が複数のアンテナ２３３７を含む例を示したが、カーナビゲーション装置２３２０は一つのアンテナ２３３７を含んでもよい。
【０２８１】
また、カーナビゲーション装置２３２０は無線通信方式ごとにアンテナ２５３７を含んでもよい。この場合、アンテナスイッチ２３３６はカーナビゲーション装置２３２０の構成から省略されてもよい。
【０２８２】
バッテリー２３３８は、図において破線で部分的に示したフィーダー線を介して、図２３に示したカーナビゲーション装置２３２０の各ブロックにパワーを供給する。また、バッテリー２３３８は、車両側から給電されるパワーを蓄積する。
【０２８３】
図２３に示すカーナビゲーション２３２０において、図１１に記載された復調ユニット１１１０はプロセッサー２３２１により実現されてもよい。機能の少なくとも一部はプロセッサー２３２１により実現されてもよい。例えば、プロセッサー２３２１は、メモリ２３２２に記憶されているコマンドを実行することで、ダウンリンク情報の復調の機能を実行する。
【０２８４】
本開示内容の技術は、カーナビゲーション装置２３２０と、車載ネットワーク２３４１と、車両モジュール２３４２との一つ又は複数のブロックを含む車載システム（又は車両）２３４０として実現されてもよい。車両モジュール２３４２は車両データ（例えば車速、エンジン回転数、故障情報）を生成し、生成したデータを車載ネットワーク２３４１に出力する。
【０２８５】
以上、添付図面を参照しながら本開示の好適な実施形態について説明したが、本開示は以上の例に限定されないことは言うまでもない。当業者は、添付した特許請求の範囲内において、各種の変更または修正を得ることができ、これらの変更または修正についても、当然に本開示の技術的範囲に属するものと理解される。
【０２８６】
例えば、図面に示されている機能ブロック図で破線のボックスで示されているユニットはすべて、当該機能ユニットが相応する装置においてオプションであることを示しており、各オプション機能ユニットは必要な機能を達成するために適切な方法で組み合わせることができる。
【０２８７】
例えば、以上の実施例において一つのユニットに含まれる複数の機能は、別々の装置により実現されてもよい。代わりに、以上の実施例において複数のユニットにより実現され
る複数のユニットはそれぞれ別々の装置により実現されてもよい。また、以上の機能の一つは複数のユニットにより実現されてもよい。このような構成は本開示の技術的範囲に含まれることは言うまでもない。
【０２８８】
当該明細書において、フローチャートに記載されるステップは、上記順序で時間順に従って実行される処理だけではなく、必ず時間順に従う必要がせず並行又は独立に実行される処理を含む。従って、時系列に従って処理するステップにおいて、当該順序を適宜に変更することは言うまでもない。
【０２８９】
以上で図面を結合して本開示の実施例について詳細に記載したが、以上で記載された実施形態は、本開示を説明するためのものであり、限定するものではない。当業者にとって、上記実施形態について、本発明の本質と範囲から逸脱せず各種の修正、変更を行える。従って、本発明の範囲は付随する特許請求の範囲及びその均等意味のみにより限定される。
【図１】
2021513791.tif 000005
【図２】
2021513791.tif 000006
【図３】
2021513791.tif 000007
【図４】
2021513791.tif 000008
【図５】
2021513791.tif 000009
【図６】
2021513791.tif 000010
【図７】
2021513791.tif 000011
【図８】
2021513791.tif 000012
【図９】
2021513791.tif 000013
【図１０】
2021513791.tif 000014
【図１１】
2021513791.tif 000015
【図１２】
2021513791.tif 000016
【図１３】
2021513791.tif 000017
【図１４】
2021513791.tif 000018
【図１５】
2021513791.tif 000019
【図１６】
2021513791.tif 000020
【図１７】
2021513791.tif 000021
【図１８】
2021513791.tif 000022
【図１９】
2021513791.tif 000023
【図２０】
2021513791.tif 000024
【図２１】
2021513791.tif 000025
【図２２】
2021513791.tif 000026
【図２３】
2021513791.tif 000027
【手続補正書】
【提出日】令和2年10月12日(2020.10.12)
【手続補正１】
【補正対象書類名】特許請求の範囲
【補正対象項目名】全文
【補正方法】変更
【補正の内容】
【特許請求の範囲】
【請求項１】
電子機器であって、
グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送するように配置される処理回路を含む電子機器。
【請求項２】
前記制御情報は、前記データの変調および符号化スキームＭＣＳレベル、及び前記データのスロットフォーマット情報ＳＦＩの少なくとも一つを指示するために用いられる請求項１に記載の電子機器。
【請求項３】
前記処理回路は、さらに、
デフォルトのスロットフォーマット情報ＳＦＩに応じて、前記ＧＣ-ＰＤＣＣＨが位置するスロットの１つ前のスロットにおけるデータを送信するように配置される請求項１に記載の電子機器。
【請求項４】
前記処理回路は、さらに、
前記１つ前のスロットで前記１つ前のスロットにおけるデータに関する制御情報を送信しなかった場合に、前記ＧＣ-ＰＤＣＣＨを介して前記１つ前のスロットにおけるデータに関する制御情報を伝送するように配置される請求項１に記載の電子機器。
【請求項５】
前記処理回路は、さらに、
ユーザー機器が前記ＧＣ-ＰＤＣＣＨを介して前記１つ前のスロットにおけるデータに関する制御情報を受信するように、ユーザー機器に通知を送信するように配置される請求項１に記載の電子機器。
【請求項６】
前記処理回路は、さらに、
ライセンススペクトルを介して、前記ユーザー機器に前記通知を送信するように配置される請求項５に記載の電子機器。
【請求項７】
前記処理回路は、さらに、
ユーザー機器にＧＣ-ＰＤＣＣの送信周期を再配置ように配置される請求項１に記載の電子機器。
【請求項８】
前記処理回路は、さらに、
ライセンススペクトルを介して、ユーザー機器に、再配置されたＧＣ-ＰＤＣＣＨの送信周期を送信するように配置される請求項７に記載の電子機器。
【請求項９】
前記電子機器はニューラジオＮＲ通信システムにおけるネットワーク側デバイスである請求項１に記載の電子機器。
【請求項１０】
電子機器であって、
グループ共通物理ダウンリンク制御チャネルＧＣ-ＰＤＣＣＨを介して情報を受信し、
前記情報を復調することで、前記ＧＣ-ＰＤＣＣＨが位置するスロットの１つ前のスロットにおけるデータに関する制御情報を取得するように配置される処理回路を含む電子機器。
【請求項１１】
前記処理回路は、さらに、
前記制御情報に応じて、前記データの変調および符号化スキームＭＣＳレベル、及び前記データのスロットフォーマット情報ＳＦＩの少なくとも一つを確定するように配置される請求項１０に記載の電子機器。
【請求項１２】
前記処理回路は、さらに、
前記１つ前のスロットで受信したデータを記憶し、
前記制御情報に応じて、前記１つ前のスロットにおけるデータを復調するように配置される請求項１０に記載の電子機器。
【請求項１３】
前記処理回路は、さらに、
デフォルトのスロットフォーマット情報ＳＦＩに応じて、前記ＧＣ-ＰＤＣＣＨが位置するスロットの１つ前のスロットにおけるデータを受信するように配置される請求項１０に記載の電子機器。
【請求項１４】
前記処理回路は、さらに、
ネットワーク側デバイスから受信した通知に応答して、前記ＧＣ-ＰＤＣＣＨを介して、前記１つ前のスロットにおけるデータに関する制御情報を受信するように配置される請求項１０に記載の電子機器。
【請求項１５】
前記処理回路は、さらに、
ライセンススペクトルを介して、前記ネットワーク側デバイスから前記通知を受信するように配置される請求項１４に記載の電子機器。
【請求項１６】
前記処理回路は、さらに、
ネットワーク側デバイスから、再配置されたＧＣ-ＰＤＣＣＨの送信周期を受信するように配置される請求項１０に記載の電子機器。
【請求項１７】
前記処理回路は、さらに、
ライセンススペクトルを介して、前記ネットワーク側デバイスから、再配置されたＧＣ-ＰＤＣＣＨの送信周期を受信するように配置される請求項１６に記載の電子機器。
【請求項１８】
前記電子機器は、ニューラジオＮＲ通信システムにおけるユーザー側デバイスである請求項１０に記載の電子機器。
【請求項１９】
無線通信方法であって、
グループ共通物理ダウンリンク制御チャネルＧＣ-ＰＤＣＣＨを介して、前記ＧＣ-ＰＤＣＣＨが位置するスロットの１つ前のスロットにおけるデータに関する制御情報を伝送することを含む無線通信方法。
【国際調査報告】
2021513791.tif 000028
2021513791.tif 000029
2021513791.tif 000030
2021513791.tif 000031
2021513791.tif 000032